(57)【特許請求の範囲】
【請求項１】
基材上に階調画像を設け、前記階調画像はハーフトーンスクリーンが規則的に複数配列されて成り、
前記階調画像は背景画像部と潜像画像部を含み、
前記背景画像部は濃度階調を有する第１のハーフトーンスクリーンによって形成され、前記潜像画像部は濃度階調を有する第２のハーフトーンスクリーンによって形成され、
前記濃度階調を有する第１のハーフトーンスクリーンと、前記濃度階調を有する第２のハーフトーンスクリーンは、階調ごとに相対し、かつ、前記相対する第１のハーフトーンスクリーンと第２のハーフトーンスクリーンの面積が同一であり、
前記第１のハーフトーンスクリーンと前記第２のハーフトーンスクリーンの形状が異なって成る真偽判別可能な印刷物であって、
前記真偽判別可能な印刷物に判別具を重ね合わせた場合に、前記潜像画像部が視認されて成る真偽判別可能な印刷物。
【請求項２】
基材上に階調画像を設け、前記階調画像はハーフトーンスクリーンが規則的に複数配列されて成り、
前記階調画像は背景画像部と潜像画像部を含み、
前記背景画像部は濃度階調を有する第１のハーフトーンスクリーンによって形成され、前記潜像画像部は濃度階調を有する第２のハーフトーンスクリーンによって形成され、
前記濃度階調を有する第１のハーフトーンスクリーンと、前記濃度階調を有する第２のハーフトーンスクリーンは、階調ごとに相対し、かつ、前記相対する第１のハーフトーンスクリーンと第２のハーフトーンスクリーンの面積が同一であり、
前記第１のハーフトーンスクリーンと前記第２のハーフトーンスクリーンの形状が同一で形成され、
前記第１のハーフトーンスクリーンと前記第２のハーフトーンスクリーンは互いに配置角度が異なって成る真偽判別可能な印刷物であって、
前記真偽判別可能な印刷物に判別具を重ね合わせた場合に、前記潜像画像部が視認されて成る真偽判別可能な印刷物。
【請求項３】
基材上に階調画像を設け、前記階調画像はハーフトーンスクリーンが規則的に複数配列されて成り、
前記階調画像は第１の背景画像部、第１の潜像画像部、第２の背景画像部及び第２の潜像画像部を含み、
前記第１の背景画像部は濃度階調を有する第１のハーフトーンスクリーンによって形成され、前記第１の潜像画像部は濃度階調を有する第２のハーフトーンスクリーンによって形成され、前記第２の背景画像部は濃度階調を有する第３のハーフトーンスクリーンによって形成され、前記第２の潜像画像部は濃度階調を有する第４のハーフトーンスクリーンによって形成され、
前記規則的に配列される奇数列及び偶数列のいずれか一方に第１のハーフトーンスクリーン及び第２のハーフトーンスクリーンが形成され、他方に第３のハーフトーンスクリーンと第４のハーフトーンスクリーンが形成され、
前記濃度階調を有する第１のハーフトーンスクリーンと、前記濃度階調を有する第２のハーフトーンスクリーンは、階調ごとに相対し、かつ、前記相対する第１のハーフトーンスクリーンと第２のハーフトーンスクリーンの面積が同一であり、
前記濃度階調を有する第３のハーフトーンスクリーンと、前記濃度階調を有する第４のハーフトーンスクリーンは、階調ごとに相対し、かつ、前記相対する第３のハーフトーンスクリーンと第４のハーフトーンスクリーンの面積が同一であり、
前記第１のハーフトーンスクリーンと前記第２のハーフトーンスクリーンの形状が異なり、かつ、前記第３のハーフトーンスクリーンと前記第４のハーフトーンスクリーンの形状が異なって成る真偽判別可能な印刷物であって、
前記真偽判別可能な印刷物に判別具を重ね合わせた場合に、前記第１の潜像画像部又は前記第２の潜像画像部が視認されて成る真偽判別可能な印刷物。
【請求項４】
基材上に階調画像を設け、前記階調画像はハーフトーンスクリーンが規則的に複数配列されて成り、
前記階調画像は第１の背景画像部、第１の潜像画像部、第２の背景画像部及び第２の潜像画像部を含み、
前記第１の背景画像部は濃度階調を有する第１のハーフトーンスクリーンによって形成され、前記第１の潜像画像部は濃度階調を有する第２のハーフトーンスクリーンによって形成され、前記第２の背景画像部は濃度階調を有する第３のハーフトーンスクリーンによって形成され、前記第２の潜像画像部は濃度階調を有する第４のハーフトーンスクリーンによって形成され、
前記規則的に配列される奇数列及び偶数列のいずれか一方に第１のハーフトーンスクリーン及び第２のハーフトーンスクリーンが形成され、他方に第３のハーフトーンスクリーンと第４のハーフトーンスクリーンが形成され、
前記濃度階調を有する第１のハーフトーンスクリーンと、前記濃度階調を有する第２のハーフトーンスクリーンは、階調ごとに相対し、かつ、前記相対する第１のハーフトーンスクリーンと第２のハーフトーンスクリーンの面積が同一であり、
前記濃度階調を有する第３のハーフトーンスクリーンと、前記濃度階調を有する第４のハーフトーンスクリーンは、階調ごとに相対し、かつ、前記相対する第３のハーフトーンスクリーンと第４のハーフトーンスクリーンの面積が同一であり、
前記第１のハーフトーンスクリーンと前記第２のハーフトーンスクリーンの形状が同一であり、かつ、前記第３のハーフトーンスクリーンと前記第４のハーフトーンスクリーンの形状が同一であり、
前記第１のハーフトーンスクリーンと前記第２のハーフトーンスクリーンの形状は互いに配置角度が異なり、かつ、前記第３のハーフトーンスクリーンと前記第４のハーフトーンスクリーンは互いに配置角度が異なって成る真偽判別可能な印刷物であって、
前記真偽判別可能な印刷物に判別具を重ね合わせた場合に、前記第１の潜像画像部又は前記第２の潜像画像部が視認されて成る真偽判別可能な印刷物。
【請求項５】
基材上に階調画像を設け、前記階調画像はハーフトーンスクリーンが規則的に複数配列されて成り、
前記階調画像は第１の背景画像部、第１の潜像画像部、第２の背景画像部及び第２の潜像画像部を含み、
前記第１の背景画像部は濃度階調を有する第１のハーフトーンスクリーン及び第３のハーフトーンスクリーンによって形成され、前記第１の潜像画像部は濃度階調を有する第２のハーフトーンスクリーン及び第４のハーフトーンスクリーンによって形成され、前記第２の背景画像部は濃度階調を有する第１のハーフトーンスクリーン及び第２のハーフトーンスクリーンによって形成され、前記第２の潜像画像部は濃度階調を有する第３のハーフトーンスクリーン及び第４のハーフトーンスクリーンによって形成され、
前記濃度階調を有する第１のハーフトーンスクリーン、前記濃度階調を有する第２のハーフトーンスクリーン、前記濃度階調を有する第３のハーフトーンスクリーン及び前記濃度階調を有する第４のハーフトーンスクリーンは、階調ごとに相対し、かつ、前記相対する第１のハーフトーンスクリーン、第２のハーフトーンスクリーン、第３のハーフトーンスクリーン及び第４のハーフトーンスクリーンの面積が同一であり、
前記第１のハーフトーンスクリーン、前記第２のハーフトーンスクリーン、前記第３のハーフトーンスクリーン及び前記第４のハーフトーンスクリーンの形状が異なって成る真偽判別可能な印刷物であって、
前記真偽判別可能な印刷物に判別具を重ね合わせた場合に、前記第１の潜像画像部又は前記第２の潜像画像部が視認されて成る真偽判別可能な印刷物。
【請求項６】
基材上に階調画像を設け、前記階調画像はハーフトーンスクリーンが規則的に複数配列されて成り、
前記階調画像は第１の背景画像部、第１の潜像画像部、第２の背景画像部及び第２の潜像画像部を含み、
前記第１の背景画像部は濃度階調を有する第１のハーフトーンスクリーン及び第３のハーフトーンスクリーンによって形成され、前記第１の潜像画像部は濃度階調を有する第２のハーフトーンスクリーン及び第４のハーフトーンスクリーンによって形成され、前記第２の背景画像部は濃度階調を有する第１のハーフトーンスクリーン及び第２のハーフトーンスクリーンによって形成され、前記第２の潜像画像部は濃度階調を有する第３のハーフトーンスクリーン及び第４のハーフトーンスクリーンによって形成され、
前記濃度階調を有する第１のハーフトーンスクリーン、前記濃度階調を有する第２のハーフトーンスクリーン、前記濃度階調を有する第３のハーフトーンスクリーン及び前記濃度階調を有する第４のハーフトーンスクリーンは、階調ごとに相対し、かつ、前記相対する第１のハーフトーンスクリーン、第２のハーフトーンスクリーン、第３のハーフトーンスクリーン及び第４のハーフトーンスクリーンの面積が同一であり、
前記第１のハーフトーンスクリーン、前記第２のハーフトーンスクリーン、前記第３のハーフトーンスクリーン及び前記第４のハーフトーンスクリーンの形状が同一であり、
前記第１のハーフトーンスクリーン、前記第２のハーフトーンスクリーン、前記第３のハーフトーンスクリーン及び前記第４のハーフトーンスクリーンは互いに配置角度が異なって成る真偽判別可能な印刷物であって、
前記真偽判別可能な印刷物に判別具を重ね合わせた場合に、前記第１の潜像画像部又は前記第２の潜像画像部が視認されて成る真偽判別可能な印刷物。
【発明の詳細な説明】
【技術分野】
【０００１】
本発明は、ハイライトからシャドウに至る濃度の段階（階調）を有する印刷物内に潜像画像が埋め込まれた真偽判別可能な印刷物に関する。
【背景技術】
【０００２】
銀行券、パスポート、有価証券、カード、印紙類、商品タグ、有料道路等の回数券、各種チケット等の貴重品は、その価値を保証・維持するために、偽造防止技術が施されている。そのため、このような貴重品には、特殊な印刷パターンが施され、印刷パターンに万線フィルタから成る判別具やレンチキュラーレンズから成る判別具を重ね合わせることによって、潜像画像が視認され、真偽判別が行なわれている。
【０００３】
例えば、万線フィルタから成る判別具によって真偽判別する技術として、万線画線で印刷された背景画像部と、背景画像部と異なった万線角度の万線画線で潜像画像部を印刷し、一見しては、背景画像部と潜像画像部は区分けして視認し難いが、所定の角度で万線フィルタを印刷物に重ね合わせて観察した場合に、背景画像部と潜像画像部が区分けされて視認できる技術が知られている。
【０００４】
特開平８−１９７８２８号公報、特開平８−３００８００号公報、特開昭５７−２０３９７号公報、特開２０００−１８５４５７号公報等の複写防止印刷物は、複写した場合に潜像画像が視認できるが、レンチキュラーレンズからなる判別具を重ね合わせることによっても潜像画像が視認されることも知られている。
【０００５】
レンチキュラーレンズから成る判別具によって真偽判別する技術として、ｎを２以上の所定の整数とし、第１〜ｎの順番に並列する第１〜ｎ帯によって組帯を形成し、並列する複数の前記組帯によって画像を形成する印刷物であって、前記第１〜ｎ帯から第１所定画像の前記帯に対応する領域を排他的に貼り付ける帯として二つを選択し、隠し画像の輪郭において前記選択した一方の帯から他方の帯へと前記貼り付ける帯を変化させることにより形成した画像が印刷されているようにした印刷物に、レンチキュラーレンズを重ね合わせることによって隠し、画像が顕在化する印刷物が開示されている（特許文献１参照）。
【０００６】
【特許文献１】特開２００３−０９４７９０号公報（第１−８頁、第１−７図）
【発明の開示】
【発明が解決しようとする課題】
【０００７】
しかしながら、万線フィルタからなる判別具によって真偽判別される印刷物及び特開２００３−０９４７９０号公報記載の印刷物は、隠し画像となる潜像画像部及びその周辺の背景画像部は線画で構成するか、又は、隠し画像となる潜像画像部及びその周辺の背景画像部は網点による万線画線で構成され、さらに、潜像画像部と背景画像部の万線の配列にずれを有しているため、印刷物のみで観察した場合においても潜像画像部と背景画像部の境が肉眼で視認される問題があった。また、万線画線のずれで印刷物を構成しているため、ハイライトからシャドウに至る濃度の段階（階調）を有する印刷物内に潜像画像を埋め込むことは作成上困難であった。また、複数の潜像画像を埋め込む場合は、印刷物自体の階調の再現性が低下する問題があった。
【０００８】
また、万線フィルタの万線ピッチが印刷物の万線パターンのピッチに合わせる必要があり、万線フィルタの万線ピッチと印刷物を形成する万線パターンのピッチをほぼ同一にする必要があり、万線フィルタの万線ピッチのピッチ幅に制限があった。さらに、万線フィルタは万線画線の画線部に遮断され、潜像画像部は明瞭に視認されるものではなかった。
【０００９】
以上のことから、本発明は前述した問題点を解決することを目的としたもので、ハイライトからシャドウに至る濃度の段階（階調）を有する印刷物内に潜像画像が埋め込まれ、印刷物と、レンチキュラーレンズ又は万線フィルタを重ね合わせて肉眼で観察した場合に、印刷物内に埋め込まれた潜像画像が視認できる印刷物であって、最濃色から最薄色を段階的に濃度変化させた第１のハーフトーンスクリーン及び第２のハーフトーンスクリーンは、階調毎に相対し、かつ、相対する第１のハーフトーンスクリーン及び第２のハーフトーンスクリーンの面積が同一又はほぼ同一であるため、潜像画像部と背景画像部の境が肉眼で視認されるおそれがなく、更に、複数の潜像画像を埋め込む場合においても、印刷物自体の階調の再現性が低下することなく、また、階調を有する印刷物を複数色で形成してもレンチキュラーレンズ、万線フィルタを重ね合わせて肉眼で観察した場合に、印刷物内に埋め込まれた潜像画像が視認できる真偽判別可能な印刷物を提案するものである。
【課題を解決するための手段】
【００１０】
本発明は、基材上に階調画像を設け、前記階調画像はハーフトーンスクリーンが規則的に複数配列されて成り、前記階調画像は背景画像部と潜像画像部を含み、前記背景画像部は濃度階調を有する第１のハーフトーンスクリーンによって形成され、前記潜像画像部は濃度階調を有する第２のハーフトーンスクリーンによって形成され、前記濃度階調を有する第１のハーフトーンスクリーンと、前記濃度階調を有する第２のハーフトーンスクリーンは、階調ごとに相対し、かつ、前記相対する第１のハーフトーンスクリーンと第２のハーフトーンスクリーンの面積が同一であり、前記第１のハーフトーンスクリーンと前記第２のハーフトーンスクリーンの形状が異なって成る真偽判別可能な印刷物であって、前記真偽判別可能な印刷物に判別具を重ね合わせた場合に、前記潜像画像部が視認されて成る真偽判別可能な印刷物である。
【００１１】
また、本発明は、基材上に階調画像を設け、前記階調画像はハーフトーンスクリーンが規則的に複数配列されて成り、前記階調画像は背景画像部と潜像画像部を含み、前記背景画像部は濃度階調を有する第１のハーフトーンスクリーンによって形成され、前記潜像画像部は濃度階調を有する第２のハーフトーンスクリーンによって形成され、前記濃度階調を有する第１のハーフトーンスクリーンと、前記濃度階調を有する第２のハーフトーンスクリーンは、階調ごとに相対し、かつ、前記相対する第１のハーフトーンスクリーンと第２のハーフトーンスクリーンの面積が同一であり、前記第１のハーフトーンスクリーンと前記第２のハーフトーンスクリーンの形状が同一で形成され、前記第１のハーフトーンスクリーンと前記第２のハーフトーンスクリーンは互いに配置角度が異なって成る真偽判別可能な印刷物であって、前記真偽判別可能な印刷物に判別具を重ね合わせた場合に、前記潜像画像部が視認されて成る真偽判別可能な印刷物である。
【００１２】
また、本発明は、基材上に階調画像を設け、前記階調画像はハーフトーンスクリーンが規則的に複数配列されて成り、前記階調画像は第１の背景画像部、第１の潜像画像部、第２の背景画像部及び第２の潜像画像部を含み、前記第１の背景画像部は濃度階調を有する第１のハーフトーンスクリーンによって形成され、前記第１の潜像画像部は濃度階調を有する第２のハーフトーンスクリーンによって形成され、前記第２の背景画像部は濃度階調を有する第３のハーフトーンスクリーンによって形成され、前記第２の潜像画像部は濃度階調を有する第４のハーフトーンスクリーンによって形成され、前記規則的に配列される奇数列及び偶数列のいずれか一方に第１のハーフトーンスクリーン及び第２のハーフトーンスクリーンが形成され、他方に第３のハーフトーンスクリーンと第４のハーフトーンスクリーンが形成され、前記濃度階調を有する第１のハーフトーンスクリーンと、前記濃度階調を有する第２のハーフトーンスクリーンは、階調毎に相対し、かつ、前記相対する第１のハーフトーンスクリーンと第２のハーフトーンスクリーンの面積が同一であり、前記濃度階調を有する第３のハーフトーンスクリーンと、前記濃度階調を有する第４のハーフトーンスクリーンは、階調ごとに相対し、かつ、前記相対する第３のハーフトーンスクリーンと第４のハーフトーンスクリーンの面積が同一であり、前記第１のハーフトーンスクリーンと前記第２のハーフトーンスクリーンの形状が異なり、かつ、前記第３のハーフトーンスクリーンと前記第４のハーフトーンスクリーンの形状が異なって成る真偽判別可能な印刷物であって、前記真偽判別可能な印刷物に判別具を重ね合わせた場合に、前記第１の潜像画像部又は前記第２の潜像画像部が視認されて成る真偽判別可能な印刷物である。
【００１３】
また、本発明は、基材上に階調画像を設け、前記階調画像はハーフトーンスクリーンが規則的に複数配列されて成り、前記階調画像は第１の背景画像部、第１の潜像画像部、第２の背景画像部及び第２の潜像画像部を含み、前記第１の背景画像部は濃度階調を有する第１のハーフトーンスクリーンによって形成され、前記第１の潜像画像部は濃度階調を有する第２のハーフトーンスクリーンによって形成され、前記第２の背景画像部は濃度階調を有する第３のハーフトーンスクリーンによって形成され、前記第２の潜像画像部は濃度階調を有する第４のハーフトーンスクリーンによって形成され、前記規則的に配列される奇数列及び偶数列のいずれか一方に第１のハーフトーンスクリーン及び第２のハーフトーンスクリーンが形成され、他方に第３のハーフトーンスクリーンと第４のハーフトーンスクリーンが形成され、前記濃度階調を有する第１のハーフトーンスクリーンと、前記濃度階調を有する第２のハーフトーンスクリーンは、階調毎に相対し、かつ、前記相対する第１のハーフトーンスクリーンと第２のハーフトーンスクリーンの面積が同一であり、前記濃度階調を有する第３のハーフトーンスクリーンと、前記濃度階調を有する第４のハーフトーンスクリーンは、階調ごとに相対し、かつ、前記相対する第３のハーフトーンスクリーンと第４のハーフトーンスクリーンの面積が同一であり、前記第１のハーフトーンスクリーンと前記第２のハーフトーンスクリーンの形状が同一であり、かつ、前記第３のハーフトーンスクリーンと前記第４のハーフトーンスクリーンの形状が同一であり、前記第１のハーフトーンスクリーンと前記第２のハーフトーンスクリーンの形状は互いに配置角度が異なり、かつ、前記第３のハーフトーンスクリーンと前記第４のハーフトーンスクリーンは互いに配置角度が異なって成る真偽判別可能な印刷物であって、前記真偽判別可能な印刷物に判別具を重ね合わせた場合に、前記第１の潜像画像部又は前記第２の潜像画像部が視認されて成る真偽判別可能な印刷物である。
【００１４】
また、本発明は、基材上に階調画像を設け、前記階調画像はハーフトーンスクリーンが規則的に複数配列されて成り、前記階調画像は第１の背景画像部、第１の潜像画像部、第２の背景画像部及び第２の潜像画像部を含み、前記第１の背景画像部は濃度階調を有する第１のハーフトーンスクリーン及び第３のハーフトーンスクリーンによって形成され、前記第１の潜像画像部は濃度階調を有する第２のハーフトーンスクリーン及び第４のハーフトーンスクリーンによって形成され、前記第２の背景画像部は濃度階調を有する第１のハーフトーンスクリーン及び第２のハーフトーンスクリーンによって形成され、前記第２の潜像画像部は濃度階調を有する第３のハーフトーンスクリーン及び第４のハーフトーンスクリーンによって形成され、前記濃度階調を有する第１のハーフトーンスクリーン、前記濃度階調を有する第２のハーフトーンスクリーン、前記濃度階調を有する第３のハーフトーンスクリーン及び前記濃度階調を有する第４のハーフトーンスクリーンは、階調ごとに相対し、かつ、前記相対する第１のハーフトーンスクリーン、第２のハーフトーンスクリーン、第３のハーフトーンスクリーン及び第４のハーフトーンスクリーンの面積が同一であり、前記第１のハーフトーンスクリーン、前記第２のハーフトーンスクリーン、前記第３のハーフトーンスクリーン及び前記第４のハーフトーンスクリーンの形状が異なって成る真偽判別可能な印刷物であって、前記真偽判別可能な印刷物に判別具を重ね合わせた場合に、前記第１の潜像画像部又は前記第２の潜像画像部が視認されて成る真偽判別可能な印刷物である。
【００１５】
また、本発明は、基材上に階調画像を設け、前記階調画像はハーフトーンスクリーンが規則的に複数配列されて成り、前記階調画像は第１の背景画像部、第１の潜像画像部、第２の背景画像部及び第２の潜像画像部を含み、前記第１の背景画像部は濃度階調を有する第１のハーフトーンスクリーン及び第３のハーフトーンスクリーンによって形成され、前記第１の潜像画像部は濃度階調を有する第２のハーフトーンスクリーン及び第４のハーフトーンスクリーンによって形成され、前記第２の背景画像部は濃度階調を有する第１のハーフトーンスクリーン及び第２のハーフトーンスクリーンによって形成され、前記第２の潜像画像部は濃度階調を有する第３のハーフトーンスクリーン及び第４のハーフトーンスクリーンによって形成され、前記濃度階調を有する第１のハーフトーンスクリーン、前記濃度階調を有する第２のハーフトーンスクリーン、前記濃度階調を有する第３のハーフトーンスクリーン及び前記濃度階調を有する第４のハーフトーンスクリーンは、階調ごとに相対し、かつ、前記相対する第１のハーフトーンスクリーン、第２のハーフトーンスクリーン、第３のハーフトーンスクリーン及び第４のハーフトーンスクリーンの面積が同一であり、前記第１のハーフトーンスクリーン、前記第２のハーフトーンスクリーン、前記第３のハーフトーンスクリーン及び前記第４のハーフトーンスクリーンの形状が同一であり、前記第１のハーフトーンスクリーン、前記第２のハーフトーンスクリーン、前記第３のハーフトーンスクリーン及び前記第４のハーフトーンスクリーンは互いに配置角度が異なって成る真偽判別可能な印刷物であって、前記真偽判別可能な印刷物に判別具を重ね合わせた場合に、前記第１の潜像画像部又は前記第２の潜像画像部が視認されて成る真偽判別可能な印刷物である。
【発明の効果】
【００１６】
本発明の印刷物は可視光下で肉眼で観察した場合に、ハイライトからシャドウに至る濃度の段階（階調）を有する印刷模様のみが視認され、第１の状態でレンチキュラーレンズを重ねて観察した場合に潜像画像が視認され、第２の状態（第１の状態とは重ね合せる位置又は角度を変化させる）で重ねて観察した場合に、第１の状態で重ねて観察した場合とは濃度が反転して潜像画像が視認され、潜像画像の出現の有無によって、その印刷物が本物か否か判別することが可能である。
【００１７】
最濃色から最薄色を段階的に濃度変化させた第１のハーフトーンスクリーン及び第２のハーフトーンスクリーンは、階調毎に相対し、かつ、相対する第１のハーフトーンスクリーン及び第２のハーフトーンスクリーンの面積が同一又はほぼ同一であるため、潜像画像部と背景画像部の境が肉眼で視認されるおそれがない。
【００１８】
また、複数の潜像画像を埋め込む場合において、印刷物自体の階調の再現性に優れ、各々の潜像画像の少なくとも一部が互いに重なり合っても形成可能であり、第１の状態でレンチキュラーレンズを重ねて観察した場合に第１の潜像画像が視認され、第２の状態でレンチキュラーレンズを重ねて観察した場合に第１の状態で重ねて観察された潜像画像とは濃度が反転して第１の潜像画像が視認され、第３の状態でレンチキュラーレンズを重ねて観察した場合に第２の潜像画像が視認され、第４の状態でレンチキュラーレンズを重ねて観察した場合に第３の状態で重ねて観察された潜像画像とは濃度が反転して第２の潜像画像が視認される。階調を有する印刷物を複数色で形成してもレンチキュラーレンズ、万線フィルタを重ね合わせて肉眼で観察した場合に、印刷物内に埋め込まれた潜像画像が視認できる。
【００１９】
よって、本発明の真偽判別可能な印刷物は、真偽判別効果に優れるため、銀行券、パスポート、有価証券、カード、印紙類、商品タグ、有料道路等の回数券、各種チケット等の貴重品に適用可能である。
【発明を実施するための最良の形態】
【００２０】
本発明を実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００２１】
図１は本発明の真偽判別可能な印刷物（Ｐ１）の一例である。図１に示すように、真偽判別可能な印刷物（Ｐ１）は、基材（１）上に印刷模様（２）を設け、印刷模様（２）は背景画像部となる第１の印刷領域（３）と潜像画像部となる第２の印刷領域（４）を含む構成となっている。図１に示すように印刷模様（２）は階調を有する鷲の図柄であり、潜像画像部は数字の１が形成されている。
【００２２】
図１に示した背景画像部となる第１の印刷領域（３）は、図２（ａ）に示すような階調（シャドウ、中間調、ハイライト）を有する第１のハーフトーンスクリーン（Ａ）によって形成され、潜像画像部となる第２の印刷領域（４）は、図２（ｂ）に示すような階調（シャドウ、中間調、ハイライト）を有する第２のハーフトーンスクリーン（Ｂ）によって形成される。第１のハーフトーンスクリーン（Ａ）及び第２のハーフトーンスクリーン（Ｂ）は、互いに４８階調のハーフトーンスクリーンを形成している。第１のハーフトーンスクリーン（Ａ）及び第２のハーフトーンスクリーン（Ｂ）は互いに異なった形状を有している。さらに、図２（ｃ）に示すように、第１のハーフトーンスクリーン（Ａ）及び第２のハーフトーンスクリーン（Ｂ）の相対するハーフトーンスクリーンのピクセル数は同一又はほぼ同一（図面では同一）となっている。例えば、図２（ｃ）の第１のハーフトーンスクリーン（Ａ）の階調Ａ４８と、第２のハーフトーンスクリーン（Ｂ）の階調Ｂ４８は、同一のピクセル数となっている。
【００２３】
ここで、図３（ａ）に使用するハーフトーンスクリーン（５）を構成するハーフトーンセル内のピクセル座標系を表示した。図３（ａ）に示すように１６×１６ピクセルのハーフトーンスクリーンセル内に各階調を表す第１のハーフトーンスクリーン（Ａ）及び第２のハーフトーンスクリーン（Ｂ）が施される。図３（ａ）では１６×１６ピクセルのハーフトーンスクリーンで形成しているが、本発明は１６×１６ピクセルのハーフトーンスクリーン限定されるものではなく、ｎ×ｎピクセル（ｎ≧３、ｎは整数）であれば良い。図１に示す印刷模様（２）を作製するために図３（ａ）に示すハーフトーンスクリーンセル（５）が複数形成される。図３（ｂ）は、Ｘ方向及びＹ方向に規則的に配列された複数のハーフトーンスクリーンセル（５）内にハーフトーンスクリーンが施され、印刷模様（２）が形成される。図３（ｃ）は、Ｘ方向及びＹ方向に半ピッチずらして配列された複数のハーフトーンスクリーンセル（５）内に画素が施され、印刷模様（２）が形成される。
【００２４】
図３に示したハーフトーンスクリーンセル内に形成された各階調を表す第１のハーフトーンスクリーン（Ａ）及び第２のハーフトーンスクリーン（Ｂ）を図４に示す。第１のハーフトーンスクリーン（Ａ）は、第２のハーフトーンスクリーン（Ｂ）のハーフトーンセル内の座標にピクセルが存在しない（７，８）、（７，９）、（８，７）、（８，８）、（８，９）、（８，１０）の座標の６ピクセルが構成される。さらに、第１のハーフトーンスクリーン（Ａ）は、第２のハーフトーンスクリーン（Ｂ）のハーフトーンセル内の座標にピクセルが存在する（９，７）、（９，８）、（９，９）、（９，１０）、（１０，８）、（１０，９）の座標の６ピクセルが存在しない構成となる。第２のハーフトーンスクリーン（Ｂ）は、第１のハーフトーンスクリーン（Ａ）のハーフトーンセル内の座標にピクセルが存在しない（９，７）、（９，８）、（９，９）、（９，１０）、（１０，８）、（１０，９）の座標の６ピクセル構成される。さらに、第２のハーフトーンスクリーン（Ｂ）は、第１のハーフトーンスクリーン（Ａ）のハーフトーンセル内の座標にピクセルが存在する（７，８）、（７，９）、（８，７）、（８，８）、（８，９）、（８，１０）の座標の６ピクセルが存在しない構成となる。
【００２５】
背景画像部を構成しているハーフトーンスクリーンを第１のハーフトーンスクリーン（Ａ）と、潜像画像部を構成しているハーフトーンスクリーンを第２のハーフトーンスクリーン（Ｂ）とした場合に、第１のハーフトーンスクリーン（Ａ）と第２のハーフトーンスクリーン（Ｂ）の関係を記載する。第１のハーフトーンスクリーン（Ａ）と第２のハーフトーンスクリーン（Ｂ）の関係は、ハーフトーンセル内のｎ×ｎピクセル（ｎ≧３、ｎは整数）の少なくとも１ピクセル以上が、第１のハーフトーンスクリーン（Ａ）と第２のハーフトーンスクリーン（Ｂ）の全ての相対する階調を表現する第１のハーフトーンスクリーン（Ａ）及び第２のハーフトーンスクリーン（Ｂ）において、相互に構成し得ない（存在しない）ピクセル座標に構成され、さらに、第１のハーフトーンスクリーン（Ａ）と第２のハーフトーンスクリーン（Ｂ）の全ての相対する階調を表現する第１のハーフトーンスクリーン（Ａ）と第２のハーフトーンスクリーン（Ｂ）は、互いに同一又はほぼ同一のピクセル数（結果として同一又はほぼ同一の面積）である。また、第１のハーフトーンスクリーン（Ａ）と第２のハーフトーンスクリーン（Ｂ）は形状は同一であり、配置角度が異なっている。つまり、第１のハーフトーンスクリーン（Ａ）の配置位置を０度とした場合に、第２のハーフトーンスクリーン（Ｂ）は、第１のハーフトーンスクリーン（Ａ）に対して１８０度回転し、配置されている。
【００２６】
本発明の真偽判別可能な印刷物を形成するための第１のハーフトーンスクリーン（Ａ）と第２のハーフトーンスクリーン（Ｂ）は、図２に限定されることなく、例えば図５に示すハーフトーンスクリーンを用いることができる。図５（ａ）、図５（ｃ）及び図５（ｇ）は第１のハーフトーンスクリーン（Ａ）の配置位置を０度とした場合に、第２のハーフトーンスクリーン（Ｂ）は、第１のハーフトーンスクリーン（Ａ）に対して１８０度、回転し配置されている。図５（ｂ）及び図５（ｆ）は第１のハーフトーンスクリーン（Ａ）の配置位置を０度とした場合に、第２のハーフトーンスクリーン（Ｂ）は、第１のハーフトーンスクリーン（Ａ）に対して９０度、回転し配置されている。図５（ｄ）及び図５（ｅ）は第１のハーフトーンスクリーン（Ａ）と第２のハーフトーンスクリーン（Ｂ）は、形状が異なっている。図５（ａ）乃至図５（ｇ）に示す第１のハーフトーンスクリーン（Ａ）及び第２のハーフトーンスクリーン（Ｂ）の面積が同一又はほぼ同一である。また、図５に示す第１のハーフトーンスクリーン（Ａ）及び第２のハーフトーンスクリーン（Ｂ）から最濃色から最薄色に段階的に濃度変化させ、階調ごとに相対し、かつ、相対する第１のハーフトーンスクリーン（Ａ）及び第２のハーフトーンスクリーン（Ｂ）の面積が同一又はほぼ同一とする。また、図２は、４８階調の第１のハーフトーンスクリーン（Ａ）及び第２のハーフトーンスクリーン（Ｂ）を用いているが本発明はこれに限定されることなく、３階調以上の第１のハーフトーンスクリーン（Ａ）及び第２のハーフトーンスクリーン（Ｂ）を用いることによって真偽判別可能な印刷物を形成することができる。
【００２７】
図６は本発明の真偽判別可能な印刷物（Ｐ１）とその一部拡大図を示す図である。図６の拡大図に示すように、背景画像部となる第１の印刷領域（３）内は図２（ａ）に示した第１のハーフトーンスクリーン（Ａ）で構成しており、潜像画像部となる第２の印刷領域（４）内は図２（ｂ）に示した第２のハーフトーンスクリーン（Ｂ）で構成している。
【００２８】
図６は本発明の真偽判別可能な印刷物（Ｐ１）は、ＣＧ（コンピュータグラフィック）ソフトで図２に示すような、ハーフトーンスクリーンを作成し、鷲の階調画像を下絵として、この下絵となる画像の階調に応じたハーフトーンスクリーンに置き換えるスクリーニング処理を行い画像を作成する。潜像画像部（数字の１）とそれ以外の背景画像部（数字の１以外の領域）にエリア分けし、潜像画像部（数字の１）のエリア内は第２のハーフトーンスクリーン（Ｂ）に置き換え、背景画像部（数字の１以外の領域）は第１のハーフトーンスクリーン（Ａ）に置き換える処理を行い、２値画像データを作成する。２値画像データから版面を作製し、作製された版面を印刷機に設置し、印刷される。
【００２９】
図６に示した真偽判別可能な印刷物（Ｐ１）を可視光下で肉眼で観察した場合、図７に示すように、背景画像部となる第１の印刷領域（３）と潜像画像部となる第２の印刷領域（４）は区分けされて視認することができず、印刷模様（２）の鷲の絵柄が確認できる。これは、背景画像部となる第１の印刷領域（３）の各階調ごとの第１のハーフトーンスクリーン（Ａ）のピクセル座標と、潜像画像部となる第２の印刷領域（４）の各階調ごとの第２のハーフトーンスクリーン（Ｂ）のピクセル座標は、一部が異なっているが、背景画像部となる第１の印刷領域（３）の各階調ごとの第１のハーフトーンスクリーン（Ａ）の面積と、潜像画像部となる第２の印刷領域（４）の各階調ごとの第２のハーフトーンスクリーン（Ｂ）の面積が、同一又はほぼ同一であるために、背景画像部となる第１の印刷領域（３）と潜像画像部となる第２の印刷領域（４）は区分けされて視認することができない。
【００３０】
図６に示した真偽判別可能な印刷物（Ｐ１）に第１の状態又は第２の状態でレンチキュラーレンズ（６）を重ねた場合に図８に示すように背景画像部となる第１の印刷領域（３）と潜像画像部となる第２の印刷領域（４）は区分けされて視認され、潜像画像（数字の１）を確認することができる。第２の状態である図８右では、真偽判別可能な印刷物（Ｐ１）に対して万線形状のレンチキュラーレンズ（６）を第１の状態からＸ方向にずらした状態である。真偽判別可能な印刷物（Ｐ１）に対する万線形状のレンチキュラーレンズ（６）の重ね合わせ位置は図８に限定されるものではない。ここで言う、第１の状態とは、万線形状のレンチキュラーレンズ（６）の蒲鉾状のレンズ部分に、図４に示す第２のハーフトーンスクリーン（Ｂ）のハーフトーンセル内の（９，７）、（９，８）、（９，９）、（９，１０）、（１０，８）、（１０，９）の座標の６ピクセルが拡大される状態である。背景画像部となる第１の印刷領域（３）は、潜像画像部となる第２の印刷領域（４）よりも、全体的に淡く視認され、潜像画像部となる第２の印刷領域（４）は、背景画像部となる第１の印刷領域（３）よりも、全体的に濃く視認され、この濃度差によって潜像画像（数字の１）が確認できる。ここで言う、第２の状態とは、万線形状のレンチキュラーレンズ（６）の蒲鉾状のレンズ部分に、図４に示す第１のハーフトーンスクリーン（Ａ）のハーフトーンセル内の（７，８）、（７，９）、（８，７）、（８，８）、（８，９）、（８，１０）の座標の６ピクセルが拡大される状態である。背景画像部となる第１の印刷領域（３）は、潜像画像部となる第２の印刷領域（４）よりも、全体的に濃く視認され、潜像画像部となる第２の印刷領域（４）は、背景画像部となる第１の印刷領域（３）よりも、全体的に淡く視認され、この濃度差によって潜像画像（数字の１）が確認できる。
【００３１】
真偽判別可能な印刷物（Ｐ１）に第１の状態でレンチキュラーレンズ（６）を重ねた場合の潜像画像の発現原理を図９に示す。ハーフトーンスクリーンをＹ−Ｙ´で切断した断面を用いて説明すると、潜像画像部を構成する第２のハーフトーンスクリーン（Ｂ）はレンチキュラーレンズを載せることによって、図４に示す座標（９，７）、（９，８）、（９，９）、（９，１０）、（１０，８）、（１０，９）が、拡大されて観察される。一方、第１のハーフトーンスクリーン（Ａ）はレンチキュラーレンズを載せることによって、図４に示す座標（９，７）、（９，８）、（９，９）、（９，１０）、（１０，８）、（１０，９）が、拡大されるため、第２のハーフトーンスクリーン（Ｂ）より淡く観察される。この濃淡差により潜像画像を確認することができる。図９に示すように第２のハーフトーンスクリーン（Ｂ）にピクセルが構成されている図４に示す座標（９，７）、（９，８）、（９，９）、（９，１０）、（１０，８）、（１０，９）が、拡大された領域（Ｔ１）が得られるため、第２のハーフトーンスクリーン（Ｂ）は、第１のハーフトーンスクリーン（Ａ）よりも濃く視認される。
【００３２】
真偽判別可能な印刷物（Ｐ１）に第２の状態でレンチキュラーレンズ（６）を重ねた場合の潜像画像の発現原理を図１０に示す。ハーフトーンスクリーンをＹ−Ｙ´で切断した断面を用いて説明すると、潜像画像部を構成する第２のハーフトーンスクリーン（Ｂ）はレンチキュラーレンズを載せることによって、図４に示す座標（９，７）、（９，８）、（９，９）、（９，１０）、（１０，８）、（１０，９）が、拡大されて観察される。一方、第１のハーフトーンスクリーン（Ａ）はレンチキュラーレンズを載せることによって、図４に示す座標（７，８）、（７，９）、（８，７）、（８，８）、（８，９）、（８，１０）が、拡大されるため、第２のハーフトーンスクリーン（Ｂ）より濃く観察される。この濃淡差により潜像画像を確認することができる。図１０に示すように第１のハーフトーンスクリーン（Ａ）にピクセルが構成されている図４に示す座標（７，８）、（７，９）、（８，７）、（８，８）、（８，９）、（８，１０）が、拡大された領域（Ｔ２）が得られるため、第１のハーフトーンスクリーン（Ａ）は、第２のハーフトーンスクリーン（Ｂ）よりも濃く視認される。
【００３３】
本発明の真偽判別可能な印刷物（Ｐ１）は、図８に示すような一種類の潜像画像がレンチキュラーレンズ（６）の重ねる状態によって潜像画像部と背景画像部の明暗が変化するものである。本発明は、これに限定されるものではなく、複数種類の潜像画像を埋め込むことが可能である。複数のハーフトーンスクリーン、例えば、第１のハーフトーンスクリーン（Ａ）、第２のハーフトーンスクリーン（Ｂ）、第３のハーフトーンスクリーン（Ｃ）及び第４のハーフトーンスクリーン（Ｄ）を組み合わせて真偽判別可能な印刷物（Ｐ２）を得る。第１のハーフトーンスクリーン（Ａ）及び第２のハーフトーンスクリーン（Ｂ）は真偽判別可能な印刷物（Ｐ１）に用いたものと同様なものを用いて、第３のハーフトーンスクリーン（Ｃ）及び第４のハーフトーンスクリーン（Ｄ）は、図１１（ａ）、図１１（ｂ）に示すものを用いる。図３（ａ）に示したハーフトーンスクリーンセル内に形成された各階調を表す第３のハーフトーンスクリーン（Ｃ）及び第４のハーフトーンスクリーン（Ｄ）を図１１（ａ）、図１１（ｂ）に示す。第３のハーフトーンスクリーン（Ｃ）及び第４のハーフトーンスクリーン（Ｄ）は、第３のハーフトーンスクリーン（Ｃ）は、第４のハーフトーンスクリーン（Ｄ）のハーフトーンセル内の座標にピクセルが存在しない図１１（ｃ）に示す（１１，１６）、（１１，１７）、（１２，１６）、（１２，１７）の座標の４ピクセル構成される。さらに、第３のハーフトーンスクリーン（Ｃ）は、第４のハーフトーンスクリーン（Ｄ）のハーフトーンセル内の座標にピクセルが存在する（２１，１６）、（２１，１７）、（２２，１６）、（２２，１７）の座標の４ピクセルが存在しない構成となる。第４のハーフトーンスクリーン（Ｄ）は、第３のハーフトーンスクリーン（Ｃ）のハーフトーンセル内の座標にピクセルが存在しない（２１，１６）、（２１，１７）、（２２，１６）、（２２，１７）の座標の４ピクセル構成される。さらに、第４のハーフトーンスクリーン（Ｄ）は、第３のハーフトーンスクリーン（Ｃ）のハーフトーンセル内の座標にピクセルが存在する（１１，１６）、（１１，１７）、（１２，１６）、（１２，１７）の座標の４ピクセルが存在しない構成となる。
【００３４】
第２の背景画像部を構成しているハーフトーンスクリーンを第３のハーフトーンスクリーン（Ｃ）とし、第２の潜像画像部を構成しているハーフトーンスクリーンを第４のハーフトーンスクリーン（Ｄ）とした場合に、第３のハーフトーンスクリーン（Ｃ）と第４のハーフトーンスクリーン（Ｄ）の関係を記載する。第３のハーフトーンスクリーン（Ｃ）と第４のハーフトーンスクリーン（Ｄ）の関係は、ハーフトーンセル内のｎ×ｎピクセル（ｎ≧３、ｎは整数）の少なくとも１ピクセル以上が、第３のハーフトーンスクリーン（Ｃ）及び第４のハーフトーンスクリーン（Ｄ）のすべての相対する階調を表現する第３のハーフトーンスクリーン（Ｃ）及び第４のハーフトーンスクリーン（Ｄ）において、相互に構成し得ない（存在しない）ピクセル座標に構成され、さらに、第３のハーフトーンスクリーン（Ｃ）及び第４のハーフトーンスクリーン（Ｄ）の全ての相対する階調を表現する第３のハーフトーンスクリーン（Ｃ）及び第４のハーフトーンスクリーン（Ｄ）は、互いに同一又はほぼ同一（図面では同一）のピクセル数（結果として同一又はほぼ同一の面積）である。
【００３５】
本発明の真偽判別可能な印刷物を形成するための第３のハーフトーンスクリーン（Ｃ）及び第４のハーフトーンスクリーン（Ｄ）は、図１１に限定されることなく、例えば図５に示すハーフトーンスクリーンを用いることができる。また、図１１は、３４階調の第３のハーフトーンスクリーン（Ｃ）及び第４のハーフトーンスクリーン（Ｄ）を用いているが本発明はこれに限定されることなく、３階調以上の第３のハーフトーンスクリーン（Ｃ）及び第４のハーフトーンスクリーン（Ｄ）を用いることによって真偽判別可能な印刷物を形成することができる。
【００３６】
図１２（ａ）に示すように、ストライプ状にエリア分けを行い、再右部の列を基準として偶数列のハーフトーンセルには第１のハーフトーンスクリーン（Ａ）及び第２のハーフトーンスクリーン（Ｂ）を組み合わせて配列させ、奇数列では第３のハーフトーンスクリーン（Ｃ）及び、第４のハーフトーンスクリーン（Ｄ）を組み合わせて配列する。それぞれを第１のハーフトーンスクリーン（Ａ）、第２のハーフトーンスクリーン（Ｂ）、第３のハーフトーンスクリーン（Ｃ）及び第４のハーフトーンスクリーン（Ｄ）に置き換えて、２値画像のデータを作成し、版面を作製し印刷機で印刷して、図１２（ｂ）に示す真偽判別可能な印刷物（Ｐ２）を得る。図１２（ｂ）に示す真偽判別可能な印刷物（Ｐ２）は、基材（１）上に印刷模様（２）を設け、印刷模様（２）は第１の背景画像部となる第１の印刷領域（３ａ）、第１の潜像画像部となる第２の印刷領域（４ａ）、第２の背景画像部となる第３の印刷領域（３ｂ）、第２の潜像画像部となる第４の印刷領域（４ｂ）を含む構成となっている。第１の背景画像部となる第１の印刷領域（３ａ）は第１のハーフトーンスクリーン（Ａ）で構成しており、第１の潜像画像部となる第２の印刷領域（４ａ）は第２のハーフトーンスクリーン（Ｂ）で構成しており、第２の背景画像部となる第３の印刷領域（３ｂ）は第３のハーフトーンスクリーン（Ｃ）で構成しており、第２の潜像画像部となる第４の印刷領域（４ｂ）は第４のハーフトーンスクリーン（Ｄ）で構成している。
【００３７】
図１２（ｂ）に示すように、印刷模様（２）は階調を有する鷲の図柄であり、第１の潜像画像部は数字の１が形成され、第２の潜像画像部はアルファベットのＢが形成されている。
【００３８】
真偽判別可能な印刷物（Ｐ２）を可視光下で肉眼で観察した場合、図１３に示すように、第１の背景画像部となる第１の印刷領域（３ａ）、第１の潜像画像部となる第２の印刷領域（４ａ）、第２の背景画像部となる第３の印刷領域（３ｂ）及び第２の潜像画像部となる第４の印刷領域（４ｂ）は、区分けされて視認することができず、印刷模様（２）の鷲の絵柄が確認できる。これは、第１の背景画像部となる第１の印刷領域（３ａ）の各階調ごとの第１のハーフトーンスクリーン（Ａ）のピクセル座標と、第１の潜像画像部となる第２の印刷領域（４ａ）の各階調ごとの第２のハーフトーンスクリーン（Ｂ）のピクセル座標は、一部が異なっているが、第１の背景画像部となる第１の印刷領域（３ａ）の各階調ごとの第１のハーフトーンスクリーン（Ａ）の面積と、第１の潜像画像部となる第２の印刷領域（４ａ）の各階調ごとの第２のハーフトーンスクリーン（Ｂ）の面積が、同一又はほぼ同一であるために、第１の背景画像部となる第１の印刷領域（３ａ）、第１の潜像画像部となる第２の印刷領域（４ａ）は、区分けされて視認することができず、また、第２の背景画像部となる第３の印刷領域（３ｂ）の各階調ごとの第３のハーフトーンスクリーン（Ｃ）のピクセル座標及び第２の潜像画像部となる第４の印刷領域（４ｂ）の各階調毎の第４のハーフトーンスクリーン（Ｄ）のピクセル座標は、一部が異なっているが、第２の背景画像部となる第３の印刷領域（３ｂ）の各階調ごとの第３のハーフトーンスクリーン（Ｃ）の面積及び第２の潜像画像部となる第４の印刷領域（４ｂ）の各階調ごとの第４のハーフトーンスクリーン（Ｄ）の面積が、同一又はほぼ同一（図面では同一）であるために、第２の背景画像部となる第３の印刷領域（３ｂ）及び第２の潜像画像部となる第４の印刷領域（４ｂ）は区分けされて視認することができない。
【００３９】
真偽判別可能な印刷物（Ｐ２）に第１の状態又は第２の状態でレンチキュラーレンズ（６）を重ねた場合に図１４に示すように背景画像部となる第１の印刷領域（３ａ）と潜像画像部となる第２の印刷領域（４ａ）は区分けされて視認され、潜像画像（数字の１）を確認することができる。第１の状態である図１４左では、真偽判別可能な印刷物（Ｐ２）に対して万線形状のレンチキュラーレンズ（６）を縦方向に重ね合わせ、第２の状態である図１４右では、万線形状のレンチキュラーレンズ（６）を第１の状態からＸ方向にずらした状態である。真偽判別可能な印刷物（Ｐ２）に対する万線形状のレンチキュラーレンズ（６）の重ね合わせ位置は図１４に限定されるものではない。ここで言う、第１の状態とは、万線形状のレンチキュラーレンズ（６）の蒲鉾状のレンズ部分に、第２のハーフトーンスクリーン（Ｂ）のハーフトーンセル内の図１１（ｃ）に示す（９，７）、（９，８）、（９，９）、（９，１０）、（１０，８）、（１０，９）の座標の６ピクセルが拡大される状態である。背景画像部となる第１の印刷領域（３ａ）は、潜像画像部となる第２の印刷領域（４ａ）よりも、全体的に淡く視認され、潜像画像部となる第２の印刷領域（４ａ）は、背景画像部となる第１の印刷領域（３ａ）よりも、全体的に濃く視認され、この濃度差によって潜像画像（数字の１）が確認できる。ここで言う、第２の状態とは、万線形状のレンチキュラーレンズ（６）の蒲鉾状のレンズ部分に、第１のハーフトーンスクリーン（Ａ）のハーフトーンセル内の図１１（ｃ）に示す（７，８）、（７，９）、（８，７）、（８，８）、（８，９）、（８，１０）の座標の６ピクセルが拡大される状態である。背景画像部となる第１の印刷領域（３ａ）は、潜像画像部となる第２の印刷領域（４ａ）よりも、全体的に濃く視認され、潜像画像部となる第２の印刷領域（４ａ）は、背景画像部となる第１の印刷領域（３ａ）よりも、全体的に淡く視認され、この濃度差によって潜像画像（数字の１）が確認できる。
【００４０】
さらに、真偽判別可能な印刷物（Ｐ２）に第３の状態又は第４の状態でレンチキュラーレンズ（６）を重ねた場合に、図１５に示すように背景画像部となる第３の印刷領域（３ｂ）と潜像画像部となる第４の印刷領域（４ｂ）は区分けされて視認され、潜像画像（アルファベットのＢ）を確認することができる。第３の状態である図１５左では、真偽判別可能な印刷物（Ｐ２）に対して万線形状のレンチキュラーレンズ（６）を縦方向に重ね合わせ、第４の状態である図１５右では、万線形状のレンチキュラーレンズ（６）を第３の状態から図１５右図に示すようにＸ方向にずらした状態である。真偽判別可能な印刷物（Ｐ２）に対する万線形状のレンチキュラーレンズ（６）の重ね合わせ位置は図１５に限定されるものではない。ここで言う、第３の状態とは、万線形状のレンチキュラーレンズ（６）の蒲鉾状のレンズ部分に、第４のハーフトーンスクリーン（Ｄ）のハーフトーンセル内の図１１（ｃ）に示す（２１，１６）、（２１，１７）、（２２，１６）、（２２，１７）の座標の４ピクセルが拡大される状態である。背景画像部となる第３の印刷領域（３ｂ）は、潜像画像部となる第４の印刷領域（４ｂ）よりも、全体的に淡く視認され、潜像画像部となる第４の印刷領域（４ｂ）は、背景画像部となる第３の印刷領域（３）よりも、全体的に濃く視認され、この濃度差によって潜像画像（アルファベットのＢ）が確認できる。ここで言う、第４の状態とは、万線形状のレンチキュラーレンズ（６）の蒲鉾状のレンズ部分に、第３のハーフトーンスクリーン（Ｃ）のハーフトーンセル内の図１１（ｃ）に示す（１１，１６）、（１１，１７）、（１２，１６）、（１２，１７）の座標の４ピクセルが拡大される状態である。背景画像部となる第３の印刷領域（３ｂ）は、潜像画像部となる第４の印刷領域（４ｂ）よりも、全体的に濃く視認され、潜像画像部となる第４の印刷領域（４ｂ）は、背景画像部となる第３の印刷領域（３ｂ）よりも、全体的に淡く視認され、この濃度差によって潜像画像（アルファベットのＢ）が確認できる。
【００４１】
真偽判別可能な印刷物（Ｐ２）は、偶数列のハーフトーンセルには第１のハーフトーンスクリーン（Ａ）及び、第２のハーフトーンスクリーン（Ｂ）を組み合わせて配列させ、奇数列では第３のハーフトーンスクリーン（Ｃ）及び、第４のハーフトーンスクリーン（Ｄ）を組み合わせて配列して形成している。
【００４２】
しかしながら、本発明の真偽判別可能な印刷物はこれに限定されることなく、例えば図１６に示すように格子状に第１のハーフトーンスクリーン（Ａ）、第２のハーフトーンスクリーン（Ｂ）、第３のハーフトーンスクリーン（Ｃ）及び第４のハーフトーンスクリーン（Ｄ）を配置して形成してもよい。例えば、複数のハーフトーンスクリーン、第１のハーフトーンスクリーン（Ａ）、第２のハーフトーンスクリーン（Ｂ）、第３のハーフトーンスクリーン（Ｃ）及び第４のハーフトーンスクリーン（Ｄ）を組み合わせて真偽判別可能な印刷物を得る。図１７に示すような第１のハーフトーンスクリーン（Ａ）、第２のハーフトーンスクリーン（Ｂ）、第３のハーフトーンスクリーン（Ｃ）及び第４のハーフトーンスクリーン（Ｄ）を用いる。図３（ａ）に示したハーフトーンスクリーンセル内に形成された各階調を表す第１のハーフトーンスクリーン（Ａ）、第２のハーフトーンスクリーン（Ｂ）、第３のハーフトーンスクリーン（Ｃ）及び第４のハーフトーンスクリーン（Ｄ）が形成される。
【００４３】
第１のハーフトーンスクリーン（Ａ）は、第３のハーフトーンスクリーン（Ｃ）、第４のハーフトーンスクリーン（Ｄ）のハーフトーンセル内の座標にピクセルが存在しない図１７（ｂ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセル及び第２のハーフトーンスクリーン（Ｂ）、第４のハーフトーンスクリーン（Ｄ）のハーフトーンセル内の座標にピクセルが存在しない図１７（ｂ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセルが構成される。さらに、第１のハーフトーンスクリーン（Ａ）は、第３のハーフトーンスクリーン（Ｃ）、第４のハーフトーンスクリーン（Ｄ）のハーフトーンセル内の座標にピクセルが存在する図１７（ｂ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセル及び第２のハーフトーンスクリーン（Ｂ）、第４のハーフトーンスクリーン（Ｄ）のハーフトーンセル内の座標にピクセルが存在する図１７（ｂ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが存在しない構成となる。
【００４４】
第２のハーフトーンスクリーン（Ｂ）は、第１のハーフトーンスクリーン（Ａ）、第３のハーフトーンスクリーン（Ｃ）のハーフトーンセル内の座標にピクセルが存在しない図１７（ｂ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセル及び第３のハーフトーンスクリーン（Ｃ）、第４のハーフトーンスクリーン（Ｄ）のハーフトーンセル内の座標にピクセルが存在しない図１７（ｂ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセルが構成される。さらに、第２のハーフトーンスクリーン（Ｂ）は、第１のハーフトーンスクリーン（Ａ）、第３のハーフトーンスクリーン（Ｃ）のハーフトーンセル内の座標にピクセルが存在する図１７（ｂ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセル及び第３のハーフトーンスクリーン（Ｃ）、第４のハーフトーンスクリーン（Ｄ）のハーフトーンセル内の座標にピクセルが存在する図１７（ｂ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセルが存在しない構成となる。
【００４５】
第３のハーフトーンスクリーン（Ｃ）は、第１のハーフトーンスクリーン（Ａ）、第２のハーフトーンスクリーン（Ｂ）のハーフトーンセル内の座標にピクセルが存在しない図１７（ｂ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセルおよび、第２のハーフトーンスクリーン（Ｂ）、第４のハーフトーンスクリーン（Ｄ）のハーフトーンセル内の座標にピクセルが存在しない図１７（ｂ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセルが構成される。さらに、第３のハーフトーンスクリーン（Ｃ）は、第１のハーフトーンスクリーン（Ａ）、第２のハーフトーンスクリーン（Ｂ）のハーフトーンセル内の座標にピクセルが存在する図１７（ｂ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセルおよび、第２のハーフトーンスクリーン（Ｂ）、第４のハーフトーンスクリーン（Ｄ）のハーフトーンセル内の座標にピクセルが存在する図１７（ｂ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが存在しない構成となる。
【００４６】
第４のハーフトーンスクリーン（Ｄ）は、第１のハーフトーンスクリーン（Ａ）、第２のハーフトーンスクリーン（Ｂ）のハーフトーンセル内の座標にピクセルが存在しない図１７（ｂ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセル及び第１のハーフトーンスクリーン（Ａ）、第３のハーフトーンスクリーン（Ｃ）のハーフトーンセル内の座標にピクセルが存在しない図１７（ｂ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが構成される。さらに、第４のハーフトーンスクリーン（Ｄ）は、第１のハーフトーンスクリーン（Ａ）、第３のハーフトーンスクリーン（Ｃ）のハーフトーンセル内の座標にピクセルが存在する図１７（ｂ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセル及び第１のハーフトーンスクリーン（Ａ）、第２のハーフトーンスクリーン（Ｂ）のハーフトーンセル内の座標にピクセルが存在する図１７（ｂ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセルが存在しない構成となる。
【００４７】
本発明の真偽判別可能な印刷物を形成するための第１のハーフトーンスクリーン（Ａ）、第２のハーフトーンスクリーン（Ｂ）、第３のハーフトーンスクリーン（Ｃ）及び第４のハーフトーンスクリーン（Ｄ）は、図１７に限定されるものではない。また、図１７は、３６階調の第１のハーフトーンスクリーン（Ａ）、第２のハーフトーンスクリーン（Ｂ）、第３のハーフトーンスクリーン（Ｃ）及び第４のハーフトーンスクリーン（Ｄ）を用いているが本発明はこれに限定されることなく、３階調以上の第１のハーフトーンスクリーン（Ａ）、第２のハーフトーンスクリーン（Ｂ）、第３のハーフトーンスクリーン（Ｃ）及び第４のハーフトーンスクリーン（Ｄ）を用いることによって真偽判別可能な印刷物を形成することができる。
【００４８】
図１８（ａ）に示すように、格子状にエリア分けを行い、第１の背景画像部であり、かつ、第２の背景画像部である領域を第１のハーフトーンスクリーン（Ａ）とし、第１の潜像画像部であり、かつ、第２の背景画像部である領域を第２のハーフトーンスクリーン（Ｂ）とし、第２の潜像画像部であり、かつ、第１の背景画像部である領域を第３のハーフトーンスクリーン（Ｃ）とし、第１の潜像画像部及び第２の潜像画像部が重なった領域を第４のハーフトーンスクリーン（Ｄ）に置き換えて、２値画像のデータを作成し、版面を作製し印刷機で印刷して、図１８（ｂ）に示す真偽判別可能な印刷物（Ｐ３）を得る。図１８（ｂ）に示す真偽判別可能な印刷物（Ｐ３）は、基材（１）上に印刷模様（２）を設け、印刷模様（２）は第１の背景画像部であり、かつ、第２の背景画像部である領域となる第１の印刷領域（３ａ）、第１の潜像画像部であり、かつ、第２の背景画像部である領域となる第２の印刷領域（４ａ）、第２の潜像画像部であり、かつ、第１の背景画像部である領域となる第３の印刷領域（４ｂ）、第１の潜像画像部及び第２の潜像画像部が重なった第４の印刷領域（４ｃ）を含む構成となっている。第１の背景画像部であり、かつ、第２の背景画像部である領域となる第１の印刷領域（３ａ）は第１のハーフトーンスクリーン（Ａ）で形成し、第１の潜像画像部であり、かつ、第２の背景画像部である領域となる第２の印刷領域（４ａ）は第２のハーフトーンスクリーン（Ｂ）で形成し、第２の潜像画像部であり、かつ、第１の背景画像部である領域となる第３の印刷領域（３ｂ）は第３のハーフトーンスクリーン（Ｃ）で形成し、第１の潜像画像部及び第２の潜像画像部が重なった第４の印刷領域（４ｃ）を第４のハーフトーンスクリーン（Ｄ）で構成する。
【００４９】
図１８（ｂ）に示すように印刷模様（２）は階調を有する鷲の図柄であり、第１の潜像画像部は数字の１が形成され、第２の潜像画像部はアルファベットのＢが形成されている。
【００５０】
真偽判別可能な印刷物（Ｐ２）を可視光下で肉眼で観察した場合、図１９に示すように、第１の背景画像部であり、かつ、第２の背景画像部である領域となる第１の印刷領域（３ａ）、第１の潜像画像部であり、かつ、第２の背景画像部である領域となる第２の印刷領域（４ａ）、第２の背景画像部であり、かつ、第１の背景画像部である領域となる第４の印刷領域（４ｂ）及び第１の潜像画像部と第２の潜像画像部が重なった第４の印刷領域（４ｃ）は区分けされて視認することができず、印刷模様（２）の鷲の絵柄が確認できる。これは、第１の背景画像部であり、かつ、第２の背景画像部である領域となる第１の印刷領域（３ａ）の各階調ごとの第１のハーフトーンスクリーン（Ａ）のピクセル座標と、第１の潜像画像部であり、かつ、第２の背景画像部である領域となる第２の印刷領域（４ａ）の各階調ごとの第２のハーフトーンスクリーン（Ｂ）のピクセル座標と、第２の潜像画像部であり、かつ、第１の背景画像部である領域となる第３の印刷領域（４ｂ）の各階調ごとの第３のハーフトーンスクリーン（Ｃ）のピクセル座標及び第１の潜像画像部と第２の潜像画像部が重なった第４の印刷領域（４ｃ）の各階調毎の第４のハーフトーンスクリーン（Ｄ）のピクセル座標は、一部が異なっているが、面積が、同一又はほぼ同一（図面では同一）であるために、第１の印刷領域（３ａ）、第２の印刷領域（４ａ）、第３の印刷領域（４ｂ）及び第４の印刷領域（４ｃ）は区分けされて視認することができない。
【００５１】
真偽判別可能な印刷物（Ｐ３）に第１の状態又は第２の状態でレンチキュラーレンズ（６）を重ねた場合に、図２０に示すように第１の背景画像部であり、かつ、第２の背景画像部である領域となる第１の印刷領域（３ａ）と第２の潜像画像部であり、かつ、第１の背景画像部である領域となる第３の印刷領域（４ｂ）は、第１の背景画像部となり、第１の潜像画像部でありかつ第２の背景画像部である領域となる第２の印刷領域（４ａ）、第１の潜像画像部と第２の潜像画像部が重なった第４の印刷領域（４ｃ）は、第１の潜像画像部となり、潜像画像（数字の１）を確認することができる。第１の状態である図２０左では、真偽判別可能な印刷物（Ｐ３）に対して万線形状のレンチキュラーレンズ（６）を横方向に重ね合わせ、第２の状態である図２０右では、万線形状のレンチキュラーレンズ（６）を第１の状態からＹ方向にずらした状態である。真偽判別可能な印刷物（Ｐ３）に対する万線形状のレンチキュラーレンズ（６）の重ね合わせ位置は図２０に限定されることない。ここで言う、第1の状態とは、万線形状のレンチキュラーレンズ（６）の蒲鉾状のレンズ部分に、第２のハーフトーンスクリーン（Ｂ）及び第４のハーフトーンスクリーン（D）のハーフトーンセル内の図１７（ｂ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが拡大される状態である。よって、第１の背景画像部は第１の潜像画像部よりも全体的に淡く視認され、第１の潜像画像部は第１の背景画像部よりも、全体的に濃く視認され、この濃度差によって潜像画像（数字の１）が確認できる。ここで言う、第２の状態とは、万線形状のレンチキュラーレンズ（６）の蒲鉾状のレンズ部分に、第１のハーフトーンスクリーン（Ａ）及び第３のハーフトーンスクリーン（Ｃ）のハーフトーンセル内の図１７（ｂ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセルが拡大される状態である。よって、第１の背景画像部は第１の潜像画像部よりも全体的に濃く視認され、第１の潜像画像部は第１の背景画像部よりも全体的に淡く視認され、この濃度差によって潜像画像（数字の１）が確認できる。
【００５２】
さらに、真偽判別可能な印刷物（Ｐ３）に第３の状態又は第４の状態でレンチキュラーレンズ（６）を重ねた場合に図２１に示すように第１の背景画像部であり、かつ第２の背景画像部である領域となる第１の印刷領域（３ａ）と、第１の潜像画像部であり、かつ第２の背景画像部である領域となる第２の印刷領域（４ａ）は、第２の背景画像部となり、第２の潜像画像部であり、かつ、第１の背景画像部である領域となる第３の印刷領域（４ｂ）、第１の潜像画像部と第２の潜像画像部が重なった第４の印刷領域（４ｃ）は、第２の潜像画像部となり、潜像画像（アルファベットのＢ）を確認することができる。第３の状態である図２１左では、真偽判別可能な印刷物（Ｐ３）に対して万線形状のレンチキュラーレンズ（６）を横方向に重ね合わせ、第４の状態である図２１右では、万線形状のレンチキュラーレンズ（６）を第３の状態からＸ方向にずらした状態である。真偽判別可能な印刷物（Ｐ３）に対する万線形状のレンチキュラーレンズ（６）の重ね合わせ位置は図２１に限定されるものではない。ここで言う、第３の状態とは、万線形状のレンチキュラーレンズ（６）の蒲鉾状のレンズ部分に、第３のハーフトーンスクリーン（Ｃ）及び第４のハーフトーンスクリーン（Ｄ）のハーフトーンセル内の図１７（ｂ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセルが拡大される状態である。よって、第２の背景画像部は第２の潜像画像部よりも全体的に淡く視認され、第２の潜像画像部は第２の背景画像部よりも、全体的に濃く視認され、この濃度差によって潜像画像（アルファベットのＢ）が確認できる。ここで言う、第４の状態とは、万線形状のレンチキュラーレンズ（６）の蒲鉾状のレンズ部分に、第１のハーフトーンスクリーン（Ａ）及び第２のハーフトーンスクリーン（Ｂ）のハーフトーンセル内の図１７（ｂ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセルが拡大される状態である。よって、第２の背景画像部は第２の潜像画像部よりも全体的に濃く視認され、第２の潜像画像部は第２の背景画像部よりも、全体的に淡く視認され、この濃度差によって潜像画像（アルファベットのＢ）が確認できる。
【００５３】
上記説明では、真偽判別可能な印刷物（Ｐ１、Ｐ２、Ｐ３）にレンチキュラーレンズ（６）を重ね合わせて潜像画像を確認しているが、本発明はこれに限定されることなく、透明フィルムに所定ピッチの万線が施された判別具（万線フィルタ）を用いても潜像画像を確認することができる。本発明の真偽判別可能な印刷物を判別するレンチキュラーレンズは、図２２（ａ）に示すように万線状のレンズ、図２２（ｂ）に示すように所定間隔で配列されたドット状のレンズ等、特に限定されるものではないが、万線状のレンチキュラーレンズが最も本発明の効果を得ることができ、レンチキュラーレンズの線数とハーフトーンスクリーンの線数を同一、又は整数倍に設計することが望ましい。万線フィルタ又はレンチキュラーレンズの基材自体に色彩を付与（半透明）することによって、例えば、ストライプ状にエリア分けされた、偶数列の第１のハーフトーンスクリーン（Ａ）と第２のハーフトーンスクリーン（Ｂ）を赤色で構成し、奇数列の第３のハーフトーンスクリーン（Ｃ）と第４のハーフトーンスクリーン（Ｄ）を青色で構成し、赤色カラーレンチキュラーレンズを載せて観察すると、偶数列の赤色で構成された第１のハーフトーンスクリーン（Ａ）及び第２のハーフトーンスクリーン（Ｂ）は赤色フィルタ機能により観察することができず、青色で構成された第３のハーフトーンスクリーン（Ｃ）及び第４のハーフトーンスクリーン（Ｄ）が赤色フィルタと混色して、紫色となるので、潜像画像が観察できる。逆に青色カラーレンチキュラーレンズで観察した場合は、赤色で構成された第１のハーフトーンスクリーン（Ａ）及び第２のハーフトーンスクリーン（Ｂ）のみが紫色となり潜像画像として観察できる。エリア分け及び使用色はこれに限定されることなく、プロセス４色でカラー画像を構成しても良い。構成色に合ったカラーレンチキュラーレンズを作製できれば色は限定されない。
【００５４】
本発明の真偽判別可能な印刷物のハーフトーンスクリーンの線数は２５ｌｐｉ〜１７５ｌｐｉが好ましい。スクリーン線数が１７５ｌｐｉより大きいと本発明のハーフトーンスクリーン形状を有した印刷物を作製上困難となり、２５ｌｐｉより小さいとシャドウ部のハーフトーンスクリーンの大きさが１ｍｍを超え、ハーフトーンスクリーンの形状が肉眼で認識可能になるため、潜像画像部と背景画像部が肉眼で区分けして視認されるおそれが生じる。さらに好ましくはハーフトーンスクリーンの線数は、３０ｌｐｉ〜１２０ｌｐｉが好ましい。ただし、小さいスクリーン線数でも、ハーフトーンスクリーン形状を認識できない大きさのハイライト部及び中間調部を使えばこの限りではなく、また、大きいスクリーン線数でも、表現する階調数を少なくすれば、１ピクセルのサイズを大きく設計できるため、印刷物作製可能となるため、この限りではない。
【００５５】
本発明の真偽判別可能な印刷物を印刷する基材は、紙、プラスチック、フィルム、金属板等、特に限定されるものではない。
【００５６】
本発明の真偽判別可能な印刷物を印刷する印刷方式は、オフセット印刷方式、グラビア印刷方式、スクリーン印刷方式、フレキソ印刷方式、インクジェットプリンタ、レーザプリンタ、ベタ等の印刷にレーザ加工機で印刷部を削る方法等、特に限定されるものではないが、オフセット印刷方式が好ましい。また、印刷インキは、特に限定されるものではない。また、有色蛍光インキ、赤外吸収インキ、磁性インキ、パール等の光学的変化インキ等を用いることによって複写防止等の偽造防止効果が向上する。
【００５７】
模様及び潜像画像は、文字、数字、記号及び絵柄の少なくとも一つで構成することできるため、デザインは、特に限定されるものではない。
【実施例】
【００５８】
以下、実施例を用いて本発明を更に詳細に説明するが、本発明の内容は、これらの実施例の範囲に限定されるものではない。
【００５９】
（実施例１）
スクリーニングする階調画像を用意する。本実施例においては図２３（ａ）に示すＴＩＦＦ形式（グレー２５６階調）の鷲の画像データを使用した。データ形式はこれに限定されず、一般に使用される画像データであればよい。次にＣＧ（コンピュータグラフィックス）ソフトを用いて、図２３（ｂ）に示すような背景画像部の第１のハーフトーンスクリーン（Ａ）と、潜像画像部の第２のハーフトーンスクリーン（Ｂ）とを作成する。本実施例のハーフトーンスクリーンにおいては、スクリーン線数を１００ｌｐｉとしたため、１／１００インチ（２５４μｍ）×１／１００インチのエリア内に１６×１６ピクセルのハーフトーンスクリーンセルを用意し、規則に沿ってピクセルを順次塗りつぶしていき、図２３（ｂ）に示すように４８階調の第１のハーフトーンスクリーン（Ａ）及び第２のハーフトーンスクリーン（Ｂ）を作成した。図２３（ｃ）は第１のハーフトーンスクリーン（Ａ）及び第２のハーフトーンスクリーン（Ｂ）の代表的な三種類の階調を座標に配置した図である。本実施例１においては、図２３（ｃ）に示すように、第１のハーフトーンスクリーン（Ａ）は、第２のハーフトーンスクリーン（Ｂ）のハーフトーンセル内の座標にピクセルが存在しない図２３（ｃ）に示す（７，８）、（７，９）、（８，７）、（８，８）、（８，９）、（８，１０）の座標の６ピクセルが構成される。さらに、第１のハーフトーンスクリーン（Ａ）は、第２のハーフトーンスクリーン（Ｂ）のハーフトーンセル内の座標にピクセルが存在する図２３（ｃ）に示す（９，７）、（９，８）、（９，９）、（９，１０）、（１０，８）、（１０，９）の座標の６ピクセルが存在しない構成となる。第２のハーフトーンスクリーン（Ｂ）は、第１のハーフトーンスクリーン（Ａ）のハーフトーンセル内の座標にピクセルが存在しない図２３（ｃ）に示す（９，７）、（９，８）、（９，９）、（９，１０）、（１０，８）、（１０，９）の座標の６ピクセルが構成される。さらに、第２のハーフトーンスクリーン（Ｂ）は、第１のハーフトーンスクリーン（Ａ）のハーフトーンセル内の座標にピクセルが存在する図２３（ｃ）に示す（７，８）、（７，９）、（８，７）、（８，８）、（８，９）、（８，１０）の座標の６ピクセルが存在しない構成とした。
【００６０】
次に、階調画像の各ピクセルの持つ濃度情報を、対応する面積を持つハーフトーンスクリーンに置き換える作業であるスクリーニングを行った。本実施例で作成したハーフトーンスクリーンは４８階調なので、スクリーニングされる階調画像の２５６階調を４８階調に変換して、階調画像の各ピクセルの持つ階調と同じ階調のハーフトーンスクリーンに置き換えた。背景画像部は第１のハーフトーンスクリーン（Ａ）に置き換え、潜像画像部は第２のハーフトーンスクリーン（Ｂ）に置き換えた。スクリーニングを行った後の白黒２値のハーフトーンスクリーン画像を図２４に示す。白黒２値のハーフトーンスクリーン画像からＰＳ版面を作製し、オフセット印刷機（色：マゼンタインキ）で印刷し、実施例１の真偽判別可能な印刷物を作製した。
【００６１】
実施例１の真偽判別可能な印刷物を可視光下で肉眼で観察した場合、背景画像部と潜像画像部は区分けされて視認することができなかった。実施例１の真偽判別可能な印刷物に第１の状態でピッチ１００ｌｐｉのレンチキュラーレンズを、印刷物に対してレンチキュラーレンズの万線が縦方向になるように重ねた場合に背景画像部は、潜像画像部よりも、全体的に淡く視認され、潜像画像部は、背景画像部よりも、全体的に濃く視認され、この濃度差によって潜像画像（数字の１）が確認できた。さらに、第１の状態から印刷物に対して横方向（Ｘ方向）にピッチ１００ｌｐｉのレンチキュラーレンズをおよそ１２７μｍ程度ずらして第２の状態で重ねて観察することによって潜像画像（数字の１）の濃淡が反転する効果が得られた。
【００６２】
（実施例２）
実施例１と同様に、スクリーニングする階調画像を用意する。本実施例においても図２５（ａ）に示すＴＩＦＦ形式（グレー２５６階調）の鷲の画像データを使用した。データ形式はこれに限定されず、一般に使用される画像データであればよい。次にＣＧ（コンピュータグラフィックス）ソフトを用いて、図２５（ｂ）に示すような背景画像部を構成する第３のハーフトーンスクリーン（Ｃ）と潜像画像部を構成する第４のハーフトーンスクリーン（Ｄ）を作成した。本実施例のハーフトーンスクリーンにおいては、スクリーン線数を１００ｌｐｉとしたため、１／１００インチ（２５４μｍ）×１／１００インチのエリア内に３２×３２ピクセルのハーフトーンスクリーンセルを用意し、規則に沿ってピクセルを順次塗りつぶしていき、図２５（ｂ）に示すように３４階調の第３のハーフトーンスクリーン（Ｃ）及び第４のハーフトーンスクリーン（Ｄ）を作成した。図２５（ｃ）は第３のハーフトーンスクリーン（Ｃ）及び第４のハーフトーンスクリーン（Ｄ）の代表的な三種類の階調を座標に配置した図である。本実施例２においては、図２５（ｃ）に示すように、第３のハーフトーンスクリーン（Ｃ）は、第４のハーフトーンスクリーン（Ｄ）のハーフトーンセル内の座標にピクセルが存在しない図２５（ｃ）に示す（１１，１６）、（１１，１７）、（１２，１６）、（１２，１７）の座標の４ピクセルが構成される。さらに、第３のハーフトーンスクリーン（Ｃ）は、第４のハーフトーンスクリーン（Ｄ）のハーフトーンセル内の座標にピクセルが存在する図２５（ｃ）に示す（２１，１６）、（２１，１７）、（２２，１６）、（２２，１７）の座標の４ピクセルが存在しない構成となる。第４のハーフトーンスクリーン（Ｄ）は、第３のハーフトーンスクリーン（Ｃ）のハーフトーンセル内の座標にピクセルが存在しない図２５（ｃ）に示す（２１，１６）、（２１，１７）、（２２，１６）、（２２，１７）の座標の４ピクセルが構成される。さらに、第４のハーフトーンスクリーン（Ｄ）は、第３のハーフトーンスクリーン（Ｃ）のハーフトーンセル内の座標にピクセルが存在する図２５（ｃ）に示す（１１，１６）、（１１，１７）、（１２，１６）、（１２，１７）の座標の４ピクセルが存在しない構成とした。
【００６３】
次に、階調画像の各ピクセルの持つ濃度情報を、対応する濃度の面積を持つハーフトーンスクリーンに置き換える作業であるスクリーニングを行った。本実施例で作成したハーフトーンスクリーンは３４階調なので、スクリーニングされる階調画像の２５６階調を３４階調に変換して、階調画像の各ピクセルの持つ階調と同じ階調のハーフトーンスクリーンに置き換える。背景画像部は第３のハーフトーンスクリーン（Ｃ）に置き換え、潜像画像部は第４のハーフトーンスクリーン（Ｄ）に置き換えた。スクリーニングを行った後の白黒２値のハーフトーンスクリーン画像を図２６（ａ）に示す。白黒２値のハーフトーンスクリーン画像からＰＳ版面を作製し、オフセット印刷機（色：マゼンタインキ）で印刷し、実施例２の真偽判別可能な印刷物を作製した。
【００６４】
実施例２の真偽判別可能な印刷物を可視光下で肉眼で観察した場合、背景画像部と潜像画像部は区分けされて視認することができなかった。実施例２の真偽判別可能な印刷物に第１の状態でピッチ１００ｌｐｉのレンチキュラーレンズを、印刷物に対してレンチキュラーレンズの万線が縦方向になるように重ねた場合に背景画像部は、潜像画像部よりも、全体的に淡く視認され、潜像画像部は、背景画像部よりも、全体的に濃く視認され、この濃度差によって潜像画像（アルファベットのＢ）が確認できた。実施例２の真偽判別可能な印刷物に第１の状態でレンチキュラーレンズを重ねた場合の潜像画像の発現原理を図２６（ｂ）に示す。ハーフトーンスクリーンをＹ−Ｙ´で切断した断面を用いて説明すると、レンチキュラーレンズを載せることによって、背景画像部を構成する第３のハーフトーンスクリーン（Ｃ）に形成されていないピクセル位置に、潜像画像部を構成する第４のハーフトーンスクリーン（Ｄ）は形成されている部分（Ｓ）が存在するため、その部分（Ｓ）が拡大されて観察されるため潜像画像部は濃く観察される。一方、背景画像部は潜像画像部より淡く観察されるため、この濃淡差により潜像画像を確認することができる。さらに、第１の状態から印刷物に対して横方向（Ｘ方向）にピッチ１００ｌｐｉのレンチキュラーレンズをおよそ１２７μｍ程度ずらして第２の状態で重ねて観察することによって潜像画像（アルファベットのＢ）の濃淡が反転する効果が得られた。
【００６５】
（実施例３）
複数のハーフトーンスクリーンを組み合わせることにより、レンチキュラーレンズを載せたときに複数の潜像が観察できるサンプルを作製した。図２７（ａ）に示すように、２５４μｍピッチでストライプ状にエリア分けを行い、偶数列のハーフトーンセルには実施例１で使用した第１のハーフトーンスクリーン（Ａ）と第２のハーフトーンスクリーン（Ｂ）の組み合わせ、奇数列では実施例２で使用した第３のハーフトーンスクリーン（Ｃ）と第４のハーフトーンスクリーン（Ｄ）の組み合わせにする。図２７（ａ）に示すとおり、ストライプ状にハーフトーンスクリーンエリアを分け、第１の背景画像部は第１のハーフトーンスクリーン（Ａ）に置き換え、第１の潜像画像部は第２のハーフトーンスクリーン（Ｂ）に置き換え、第２の背景画像部は第３のハーフトーンスクリーン（Ｃ）に置き換え、第２の潜像画像部は第４のハーフトーンスクリーン（Ｄ）に置き換えた。スクリーニングを行った後の白黒２値のハーフトーンスクリーン画像を図２７（ｂ）に示す。白黒２値のハーフトーンスクリーン画像からＰＳ版面を作製し、オフセット印刷機（色：マゼンタインキ）で印刷し、実施例３の真偽判別可能な印刷物を作製した。
【００６６】
実施例３の真偽判別可能な印刷物を可視光下で肉眼で観察した場合、第１の背景画像部、第１の潜像画像部、第２の背景画像部及び第２の潜像画像部は区分けされて視認することができなかった。実施例３の真偽判別可能な印刷物に第１の状態でピッチ５０ｌｐｉのレンチキュラーレンズを、印刷物に対してレンチキュラーレンズの万線が縦方向になるように重ねた場合に第１の背景画像部は、第１の潜像画像部よりも、全体的に淡く視認され、第１の潜像画像部は、第１の背景画像部よりも、全体的に濃く視認され、この濃度差によって第１の潜像画像（数字の１）が確認できた。さらに、第１の状態から印刷物に対して横方向（Ｘ方向）にピッチ５０ｌｐｉのレンチキュラーレンズをおよそ１２７μｍ程度ずらして第２の状態で重ねて観察することによって第１の潜像画像（数字の１）の濃淡が反転する効果が得られた。さらに、第２の状態から印刷物に対して横方向（Ｘ方向）にピッチ５０ｌｐｉのレンチキュラーレンズをおよそ１２７μｍ程度ずらして第３の状態で重ねて観察することによって第２の背景画像部は、第２の潜像画像部よりも、全体的に淡く視認され、第２の潜像画像部は、第２の背景画像部よりも、全体的に濃く視認され、この濃度差によって第２の潜像画像（アルファベットのＢ）が確認できた。さらに、第３の状態から印刷物に対して横方向（Ｘ方向）にピッチ５０ｌｐｉのレンチキュラーレンズをおよそ１２７μｍ程度ずらして第４の状態で重ねて観察することによって第２の潜像画像（アルファベットのＢ）の濃淡が反転する効果が得られた。
【００６７】
（実施例４）
スクリーニングする階調画像を用意する。本実施例においては図２８（ａ）に示すＴＩＦＦ形式（グレー２５６階調）の鷲の画像データを使用した。データ形式はこれに限定されず、一般に使用される画像データであればよい。次にＣＧ（コンピュータグラフィックス）ソフトを用いて、図２８（ｂ）に示すような第１の背景画像部であり、かつ第２の背景画像部である第１のハーフトーンスクリーン（Ａ）と、第１の背景画像部であり、かつ第２の潜像画像部である第３のハーフトーンスクリーン（Ｃ）と、第１の潜像画像部であり、かつ第２の背景画像部である第２のハーフトーンスクリーン（Ｂ）と、第１の潜像画像部であり、かつ第２の潜像画像部である第４のハーフトーンスクリーン（Ｄ）を作成する。本実施例のハーフトーンスクリーンにおいては、スクリーン線数を１００ｌｐｉとしたため、１／１００インチ（２５４μｍ）×１／１００インチのエリア内に３２×３２ピクセルのハーフトーンスクリーンセルを用意し、規則に沿ってピクセルを順次塗りつぶしていき、図２８（ｂ）に示すように３６階調の第１のハーフトーンスクリーン（Ａ）、第２のハーフトーンスクリーン（Ｂ）、第３のハーフトーンスクリーン（Ｃ）、第４のハーフトーンスクリーン（Ｄ）を作成した。図２８（ｃ）は第１のハーフトーンスクリーン（Ａ）、第２のハーフトーンスクリーン（Ｂ）、第３のハーフトーンスクリーン（Ｃ）、第４のハーフトーンスクリーン（Ｄ）の代表的な三種類の階調を座標に配置した図である。
【００６８】
本実施例４においては、図２８（ｃ）に示すように、第１のハーフトーンスクリーン（Ａ）は、第３のハーフトーンスクリーン（Ｃ）、第４のハーフトーンスクリーン（Ｄ）のハーフトーンセル内の座標にピクセルが存在しない図２８（ｃ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセル及び第２のハーフトーンスクリーン（Ｂ）、第４のハーフトーンスクリーン（Ｄ）のハーフトーンセル内の座標にピクセルが存在しない図２８（ｃ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセルが構成される。さらに、第１のハーフトーンスクリーン（Ａ）は、第３のハーフトーンスクリーン（Ｃ）、第４のハーフトーンスクリーン（Ｄ）のハーフトーンセル内の座標にピクセルが存在する図２８（ｃ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセル及び第２のハーフトーンスクリーン（Ｂ）、第４のハーフトーンスクリーン（Ｄ）のハーフトーンセル内の座標にピクセルが存在する図２８（ｃ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが存在しない構成とした。
【００６９】
第２のハーフトーンスクリーン（Ｂ）は、第１のハーフトーンスクリーン（Ａ）、第３のハーフトーンスクリーン（Ｃ）のハーフトーンセル内の座標にピクセルが存在しない図２８（ｃ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセル及び第３のハーフトーンスクリーン（Ｃ）、第４のハーフトーンスクリーン（Ｄ）のハーフトーンセル内の座標にピクセルが存在しない図２８（ｃ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセルが構成される。さらに、第２のハーフトーンスクリーン（Ｂ）は、第１のハーフトーンスクリーン（Ａ）、第３のハーフトーンスクリーン（Ｃ）のハーフトーンセル内の座標にピクセルが存在する図２８（ｃ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセル及び第３のハーフトーンスクリーン（Ｃ）、第４のハーフトーンスクリーン（Ｄ）のハーフトーンセル内の座標にピクセルが存在する図２８（ｃ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセルが存在しない構成とした。
【００７０】
第３のハーフトーンスクリーン（Ｃ）は、第１のハーフトーンスクリーン（Ａ）、第２のハーフトーンスクリーン（Ｂ）のハーフトーンセル内の座標にピクセルが存在しない図２８（ｃ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセル及び第２のハーフトーンスクリーン（Ｂ）、第４のハーフトーンスクリーン（Ｄ）のハーフトーンセル内の座標にピクセルが存在しない図２８（ｃ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセルが構成される。さらに、第３のハーフトーンスクリーン（Ｃ）は、第１のハーフトーンスクリーン（Ａ）、第２のハーフトーンスクリーン（Ｂ）のハーフトーンセル内の座標にピクセルが存在する図２８（ｃ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセル及び第２のハーフトーンスクリーン（Ｂ）、第４のハーフトーンスクリーン（Ｄ）のハーフトーンセル内の座標にピクセルが存在する図２８（ｃ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが存在しない構成とした。
【００７１】
第４のハーフトーンスクリーン（Ｄ）は、第１のハーフトーンスクリーン（Ａ）、第２のハーフトーンスクリーン（Ｂ）のハーフトーンセル内の座標にピクセルが存在しない図２８（ｃ）に示す（２６，１５）、（２７，１５）、（２５，１６）、（２６，１６）、（２７，１６）、（２８，１６）、（２５，１７）、（２６，１７）、（２７，１７）、（２８，１７）、（２６，１８）、（２７，１８）の座標の１２ピクセル及び第１のハーフトーンスクリーン（Ａ）、第３のハーフトーンスクリーン（Ｃ）のハーフトーンセル内の座標にピクセルが存在しない図２８（ｃ）に示す（１６，５）、（１７，５）、（１５，６）、（１６，６）、（１７，６）、（１８，６）、（１５，７）、（１６，７）、（１７，７）、（１８，７）、（１６，８）、（１７，８）の座標の１２ピクセルが構成される。さらに、第４のハーフトーンスクリーン（Ｄ）は、第１のハーフトーンスクリーン（Ａ）、第３のハーフトーンスクリーン（Ｃ）のハーフトーンセル内の座標にピクセルが存在する図２８（ｃ）に示す（１６，２５）、（１７，２５）、（１５，２６）、（１６，２６）、（１７，２６）、（１８，２６）、（１５，２７）、（１６，２７）、（１７，２７）、（１８，２７）、（１６，２８）、（１７，２８）の座標の１２ピクセル及び第１のハーフトーンスクリーン（Ａ）、第２のハーフトーンスクリーン（Ｂ）のハーフトーンセル内の座標にピクセルが存在する図２８（ｃ）に示す（６，１５）、（７，１５）、（５，１６）、（６，１６）、（７，１６）、（８，１６）、（５，１７）、（６，１７）、（７，１７）、（８，１７）、（６，１８）、（７，１８）の座標の１２ピクセルが存在しない構成とした。
【００７２】
次に、階調画像の各ピクセルの持つ濃度情報を、対応する濃度の面積を持つハーフトーンスクリーンに置き換える作業であるスクリーニングを行った。本実施例で作成したハーフトーンスクリーンは３６階調なので、スクリーニングされる階調画像の２５６階調を３６階調に変換して、階調画像の各ピクセルの持つ階調と同じ階調のハーフトーンスクリーンに置き換える。第１の背景画像部であり、かつ第２の背景画像部である領域は、第１のハーフトーンスクリーン（Ａ）に置き換え、第１の潜像画像部であり、かつ第２の背景画像部である領域は、第２のハーフトーンスクリーン（Ｂ）に置き換え、第１の背景画像部であり、かつ第２の潜像画像部である領域は、第３のハーフトーンスクリーン（Ｃ）に置き換え、第１の潜像画像部であり、かつ第２の潜像画像部である領域は第４のハーフトーンスクリーン（Ｄ）に置き換えスクリーニングを行った後の白黒２値のハーフトーンスクリーン画像を図２９（ａ）に示す。白黒２値のハーフトーンスクリーン画像からＰＳ版面を作製し、オフセット印刷機（色：マゼンタインキ）で印刷し、図２９（ｂ）に示す実施例４の真偽判別可能な印刷物を作製した。
【００７３】
実施例４の真偽判別可能な印刷物を可視光下で肉眼で観察した場合、第１の背景画像部であり、かつ第２の背景画像部である領域、第１の潜像画像部であり、かつ第２の背景画像部である領域、第１の背景画像部であり、かつ第２の潜像画像部である領域、第１の潜像画像部であり、かつ第２の潜像画像部である領域は、区分けされて視認することができなかった。実施例４の真偽判別可能な印刷物に第１の状態でピッチ１００ｌｐｉのレンチキュラーレンズを、印刷物に対してレンチキュラーレンズの万線が横方向になるように重ねた場合に第１の背景画像部であり、かつ第２の背景画像部である領域及び第１の背景画像部であり、かつ第２の潜像画像部である領域は、第１の潜像画像部であり、かつ第２の背景画像部である領域と、第１の潜像画像部であり、かつ第２の潜像画像部である領域よりも、全体的に淡く視認され、第１の潜像画像部であり、かつ第２の背景画像部である領域と、第１の潜像画像部であり、かつ第２の潜像画像部である領域は、第１の背景画像部であり、かつ第２の背景画像部である領域及び第１の背景画像部であり、かつ第２の潜像画像部である領域よりも、全体的に濃く視認され、この濃度差によって第１の潜像画像（数字の１）が確認できた。さらに、第１の状態から印刷物に対して縦方向（Ｙ方向）にピッチ１００ｌｐｉのレンチキュラーレンズをおよそ１２７μｍ程度ずらして第２の状態で重ねて観察することによって潜像画像（数字の１）の濃淡が反転する効果が得られた。さらに、第３の状態で印刷物に対してレンチキュラーレンズの万線が縦方向になるように重ねて観察することによって、第１の背景画像部であり、かつ第２の背景画像部である領域及び第１の潜像画像部であり、かつ第２の背景画像部である領域は、第１の背景画像部であり、かつ第２の潜像画像部である領域と、第１の潜像画像部であり、かつ第２の潜像画像部である領域よりも、全体的に淡く視認され、第１の背景画像部であり、かつ第２の潜像画像部である領域と、第１の潜像画像部であり、かつ第２の潜像画像部である領域は、第１の背景画像部であり、かつ第２の背景画像部である領域及び第１の潜像画像部であり、かつ第２の背景画像部である領域よりも、全体的に濃く視認され、この濃度差によって潜像画像（アルファベットのＢ）が確認できた。さらに、第３の状態から印刷物に対して横方向（Ｘ方向）にピッチ１００ｌｐｉのレンチキュラーレンズをおよそ１２７μｍ程度ずらして第４の状態で重ねて観察することによって潜像画像（アルファベットのＢ）の濃淡が反転する効果が得られた。
【００７４】
（実施例５）
実施例３の白黒２値のハーフトーンスクリーン画像からＰＳ版面を用いて、オフセット印刷機で、第１のハーフトーンスクリーン（Ａ）と第２のハーフトーンスクリーン（Ｂ）をマゼンタ色で印刷し、第３のハーフトーンスクリーン（Ｃ）と第４のハーフトーンスクリーン（Ｄ）をシアン色で印刷し、実施例５の真偽判別可能な印刷物を作製した。
【００７５】
実施例５の真偽判別可能な印刷物を可視光下で肉眼で観察した場合、第１の背景画像部と第１の潜像画像部は、区分けされて視認することができなかった。同様に、第２の背景画像部と第２の潜像画像部は区分けされて視認することができなかった。実施例５の真偽判別可能な印刷物に第１の状態でピッチ５０ｌｐｉの半透明な青色のレンチキュラーレンズを重ねた場合にシアン色で構成された第３のハーフトーンスクリーン（Ｃ）及び第４のハーフトーンスクリーン（Ｄ）は半透明な青色のレンチキュラーレンズの色彩によって観察することができず、マゼンタ色で構成された第１のハーフトーンスクリーン（Ａ）及び第２のハーフトーンスクリーン（Ｂ）が半透明な青色のレンチキュラーレンズの色彩と混色して紫色となるので、第１の潜像画像（数字の１）が紫色で観察できた。第２の状態で重ねた場合には、第１の潜像画像（数字の１）の濃淡が反転する効果が得られた。さらに、実施例５の真偽判別可能な印刷物に第３の状態でピッチ５０ｌｐｉの半透明な赤色のレンチキュラーレンズを重ねた場合にマゼンタ色で構成された第１のハーフトーンスクリーン（Ａ）及び第２のハーフトーンスクリーン（Ｂ）は半透明な赤色のレンチキュラーレンズの色彩によって観察することができず、シアン色で構成された第３のハーフトーンスクリーン（Ｃ）及び第４のハーフトーンスクリーン（Ｄ）が半透明な赤色のレンチキュラーレンズの色彩と混色して紫色となるので、第２の潜像画像（アルファベットのＢ）が紫色で観察できた。第４の状態で重ねた場合には、第２の潜像画像（アルファベットのＢ）の濃淡が反転する効果が得られた。
【００７６】
（実施例６）
メタメリズム（分光分布の異なる二つの色が、特定の条件（例えばある光源の下）で同じ色に見えること）を有するインキを使用して印刷物を作製した。実施例６で使用したメタメリズムを有するインキは、特定の分光透過率特性を有するフィルタを載せると薄緑色に変化するメタメリックインキＡ、及びこげ茶色に変化するメタメリックインキＢを使用した。これらのインキは可視光下では薄褐色に観察される。実施例３の白黒２値のハーフトーンスクリーン画像からＰＳ版面を用いて、オフセット印刷機で、第１のハーフトーンスクリーン（Ａ）と第２のハーフトーンスクリーン（Ｂ）をメタメリックインキＡで印刷し、第３のハーフトーンスクリーン（Ｃ）と第４のハーフトーンスクリーン（Ｄ）をメタメリックインキＢで印刷し、実施例６の真偽判別可能な印刷物を作製した。
【００７７】
実施例６の真偽判別可能な印刷物を可視光下で肉眼で観察した場合、第１の背景画像部、第１の潜像画像部、第２の背景画像部及び第２の潜像画像部は区分けされて視認することができなかった。実施例６の真偽判別可能な印刷物に第１の状態でピッチ５０ｌｐｉの半透明な特定の分光透過率特性を有するレンチキュラーレンズを重ねた場合に、メタメリックインキＡで印刷された第１の背景画像部及び第１の潜像画像部は薄緑色に視認され、第１の背景画像部は、第１の潜像画像部よりも、全体的に淡く視認され、第１の潜像画像部は、第１の背景画像部よりも、全体的に濃く視認され、この濃度差によって第１の潜像画像（数字の１）が確認できた。さらに、第１の状態からピッチ５０ｌｐｉの半透明な特定の分光透過率特性を有するレンチキュラーレンズをおよそ１２７μｍ程度ずらして第２の状態で重ねて観察することによって第１の潜像画像（数字の１）の濃淡が反転する効果が得られた。さらに、第３の状態で重ねて観察することによって、メタメリックインキＢで印刷された第２の背景画像部及び第２の潜像画像部はこげ茶色に視認され、第２の背景画像部は、第２の潜像画像部よりも、全体的に淡く視認され、第２の潜像画像部は、第２の背景画像部よりも、全体的に濃く視認され、この濃度差によって第２の潜像画像（アルファベットのＢ）が確認できた。さらに、第３の状態からピッチ５０ｌｐｉの半透明な特定の分光透過率特性を有するレンチキュラーレンズをおよそ１２７μｍ程度ずらして第４の状態で重ねて観察することによって第２の潜像画像（アルファベットのＢ）の濃淡が反転する効果が得られた。
【００７８】
実施例１乃至６においては、ハーフトーンスクリーン及びスクリーニングをＣＧ（コンピュータグラフィックス）ソフトを使用して作成したが、ハーフトーンスクリーンの作成方法及び、スクリーニングについては本実施例の方法に限定されず、例えばポストスクリプト言語を用いて作成してもよい。
【図面の簡単な説明】
【００７９】
【図１】真偽判別可能な印刷物（Ｐ１）とその一部拡大図を示す図である。
【図２】第１のハーフトーンスクリーン（Ａ）及び第２のハーフトーンスクリーン（Ｂ）を示す図である。
【図３】使用するハーフトーンスクリーンセル（５）を示す図である。
【図４】ハーフトーンスクリーンセル内に形成された各階調を表す第１のハーフトーンスクリーン（Ａ）及び第２のハーフトーンスクリーン（Ｂ）を示す図である。
【図５】ハーフトーンスクリーンの一例を示す図である。
【図６】真偽判別可能な印刷物（Ｐ１）とその一部拡大図を示す図である。
【図７】真偽判別可能な印刷物（Ｐ１）を可視光下で肉眼で観察した場合を示す図である。
【図８】真偽判別可能な印刷物（Ｐ１）に第１の状態又は第２の状態でレンチキュラーレンズ（６）を重ねた場合を示す図である。
【図９】真偽判別可能な印刷物（Ｐ１）に第１の状態でレンチキュラーレンズ（６）を重ねた場合の潜像画像の発現原理を示す図である。
【図１０】真偽判別可能な印刷物（Ｐ１）に第２の状態でレンチキュラーレンズ（６）を重ねた場合を示す図である。
【図１１】第３のハーフトーンスクリーン（Ｃ）及び第４のハーフトーンスクリーン（Ｄ）を示す図である。
【図１２】第１のハーフトーンスクリーン（Ａ）、第２のハーフトーンスクリーン（Ｂ）、第３のハーフトーンスクリーン（Ｃ）及び第４のハーフトーンスクリーン（Ｄ）の配列と、真偽判別可能な印刷物（Ｐ２）とその一部拡大図を示す図である。
【図１３】真偽判別可能な印刷物（Ｐ２）を可視光下で肉眼で観察した場合を示す図である。
【図１４】真偽判別可能な印刷物（Ｐ２）に第１の状態又は第２の状態でレンチキュラーレンズ（６）を重ねた場合を示す図である。
【図１５】真偽判別可能な印刷物（Ｐ２）に第３の状態又は第４の状態でレンチキュラーレンズ（６）を重ねた場合を示す図である。
【図１６】格子状に第１のハーフトーンスクリーン（Ａ）、第２のハーフトーンスクリーン（Ｂ）、第３のハーフトーンスクリーン（Ｃ）及び第４のハーフトーンスクリーン（Ｄ）を配置した例を示す図である。
【図１７】真偽判別可能な印刷物（Ｐ３）の第１のハーフトーンスクリーン（Ａ）、第２のハーフトーンスクリーン（Ｂ）、第３のハーフトーンスクリーン（Ｃ）及び第４のハーフトーンスクリーン（Ｄ）を示す図である。
【図１８】第１のハーフトーンスクリーン（Ａ）、第２のハーフトーンスクリーン（Ｂ）、第３のハーフトーンスクリーン（Ｃ）及び第４のハーフトーンスクリーン（Ｄ）の配列と、真偽判別可能な印刷物（Ｐ３）とその一部拡大図を示す図である。
【図１９】真偽判別可能な印刷物（Ｐ３）を可視光下で肉眼で観察した場合を示す図である。
【図２０】真偽判別可能な印刷物（Ｐ３）に第１の状態又は第２の状態でレンチキュラーレンズ（６）を重ねた場合を示す図である。
【図２１】真偽判別可能な印刷物（Ｐ３）に第３の状態又は第４の状態でレンチキュラーレンズ（６）を重ねた場合を示す図である。
【図２２】レンチキュラーレンズの一例を示す図である。
【図２３】実施例１の第１のハーフトーンスクリーン（Ａ）及び第２のハーフトーンスクリーン（Ｂ）を示す図である。
【図２４】実施例１のスクリーニングを行った後の白黒２値のハーフトーンスクリーン画像及びその一部拡大図である。
【図２５】実施例２の第３のハーフトーンスクリーン（Ｃ）及び第４のハーフトーンスクリーン（Ｄ）を示す図である。
【図２６】実施例２のスクリーニングを行った後の白黒２値のハーフトーンスクリーン画像及びその一部拡大図である。
【図２７】実施例３の第１のハーフトーンスクリーン（Ａ）、第２のハーフトーンスクリーン（Ｂ）第３のハーフトーンスクリーン（Ｃ）及び第４のハーフトーンスクリーン（Ｄ）の配列と、実施例３のスクリーニングを行った後の白黒２値のハーフトーンスクリーン画像及びその一部拡大図である。
【図２８】実施例２のスクリーニングを行った後の白黒２値のハーフトーンスクリーン画像及びその一部拡大図である。
【図２９】実施例３の第１のハーフトーンスクリーン（Ａ）、第２のハーフトーンスクリーン（Ｂ）第３のハーフトーンスクリーン（Ｃ）及び第４のハーフトーンスクリーン（Ｄ）の配列と、実施例３のスクリーニングを行った後の白黒２値のハーフトーンスクリーン画像及びその一部拡大図である。
【符号の説明】
【００８０】
１          基材
２          印刷模様
３、３ａ、３ｂ          背景画像部となる印刷領域
４、４ａ、４ｂ          潜像画像部及び／又は背景画像部となる印刷領域
４ｃ          第１の潜像画像部と第２の潜像画像部が重なる領域
５          ハーフトーンスクリーンセル
６          レンチキュラーレンズ
Ｐ１、Ｐ２、Ｐ３          真偽判別可能な印刷物
Ａ          第１のハーフトーンスクリーン
Ｂ          第２のハーフトーンスクリーン
Ｃ          第３のハーフトーンスクリーン
Ｄ          第４のハーフトーンスクリーン
Ｓ          第３のハーフトーンスクリーン（Ｃ）と第４のハーフトーンスクリーン（Ｄ）の違い
Ｔ１          第２のハーフトーンスクリーン（Ｂ）の一部分が、拡大された領域
Ｔ２          第１のハーフトーンスクリーン（Ａ）の一部分が、拡大された領域
【図１】
0004649612.tif 000002
【図２】
0004649612.tif 000003
【図３】
0004649612.tif 000004
【図４】
0004649612.tif 000005
【図５】
0004649612.tif 000006
【図６】
0004649612.tif 000007
【図７】
0004649612.tif 000008
【図８】
0004649612.tif 000009
【図９】
0004649612.tif 000010
【図１０】
0004649612.tif 000011
【図１１】
0004649612.tif 000012
【図１２】
0004649612.tif 000013
【図１３】
0004649612.tif 000014
【図１４】
0004649612.tif 000015
【図１５】
0004649612.tif 000016
【図１６】
0004649612.tif 000017
【図１７】
0004649612.tif 000018
【図１８】
0004649612.tif 000019
【図１９】
0004649612.tif 000020
【図２０】
0004649612.tif 000021
【図２１】
0004649612.tif 000022
【図２２】
0004649612.tif 000023
【図２３】
0004649612.tif 000024
【図２４】
0004649612.tif 000025
【図２５】
0004649612.tif 000026
【図２６】
0004649612.tif 000027
【図２７】
0004649612.tif 000028
【図２８】
0004649612.tif 000029
【図２９】
0004649612.tif 000030